(57)【要約】【課題】用紙に手書きされた文字の文字データを短時間でかつ正確に取得する。【解決手段】用紙毎に、実行すべき処理を、手書き認識結果データの修正を受け付ける手書き認識修正処理と、ストローク認識結果データの修正を受け付けるストローク認識修正処理と、用紙の画像データに基づく文字データの入力を受け付けるイメージエントリ処理との中のいずれかに振り分ける振り分け装置２４０と、振り分け装置によって生成された振り分け識別データに基づいて、手書き認識修正部とストローク認識修正部とイメージエントリ処理部との中からいずれかの処理部を選択し、選択した処理部に処理を実行させるデータエントリ用装置４１０とを有する。【選択図】図１
2010237985.tif 000002
【特許請求の範囲】
【請求項１】
用紙に記載された手書き文字を構成する画素の並びに基づいて、当該手書き文字を文字認識することによって取得される文字データを手書き認識結果データとし、当該手書き文字の筆跡を表すストロークデータに基づいて、当該手書き文字を文字認識することによって取得される文字データをストローク認識結果データとし、
前記手書き認識結果データの修正処理、前記ストローク認識結果データの修正処理、及び、欠落している文字データの入力処理の中から、実行すべき処理を振り分けるための振り分け識別データを生成する振り分け識別データ生成部を備え、
前記振り分け識別データ生成部によって、前記用紙毎に、前記振り分け識別データを生成することにより、実行すべき処理を、前記手書き認識結果データの修正を受け付ける手書き認識修正処理と、前記ストローク認識結果データの修正を受け付けるストローク認識修正処理と、前記用紙の画像データに基づく作業者による入力部からの前記欠落している文字データの入力を受け付けるイメージエントリ処理との中のいずれかに振り分ける振り分け装置と、
前記振り分け装置から、前記振り分け識別データと前記用紙の画像データとが組み合わされたデータ、前記振り分け識別データと前記用紙の画像データと前記手書き認識結果データとが組み合わされたデータ、及び、前記振り分け識別データと前記用紙の画像データと前記ストローク認識結果データとが組み合わされたデータの中のいずれかの組み合わせのデータを前記用紙毎に取得するデータ取得部と、前記手書き認識修正処理を実行する手書き認識修正部と、前記ストローク認識修正処理を実行するストローク認識修正部と、前記イメージエントリ処理を実行するイメージエントリ処理部と、実行すべき処理を振り分ける振り分け処理部とを備え、
前記振り分け処理部によって、前記用紙毎に、前記振り分け識別データに基づいて、前記手書き認識修正部と前記ストローク認識修正部と前記イメージエントリ処理部との中からいずれかの修正部若しくは処理部を選択し、当該選択した修正部若しくは処理部に処理を実行させることにより、前記用紙に記載された前記手書き文字に相当する文字データを取得するデータエントリ用装置とを有する
ことを特徴とする文字データ処理システム。
【請求項２】
請求項１に記載の文字データ処理システムにおいて、
前記振り分け装置は、
前記手書き認識結果データを取得する手書き認識処理部と、
前記ストローク認識結果データを取得するストローク認識処理部と、
前記用紙の画像データを取得する画像取得処理部と、
前記手書き認識処理部によって取得された前記手書き認識結果データの認識精度データ及び前記ストローク認識処理部によって取得された前記ストローク認識結果データの認識精度データを格納する認識精度データ蓄積部と、
用紙に記載された手書き文字を文字認識する場合に、前記認識精度データ蓄積部に格納された過去の前記認識精度データに基づいて、前記手書き認識処理部と前記ストローク認識処理部と前記画像取得処理部との中からいずれかの処理部を選択し、当該選択した処理部に処理を振り分けて実行させる振り分け指示部と、
前記手書き認識処理部によって取得された前記手書き認識結果データと、前記ストローク認識処理部によって取得された前記ストローク認識結果データと、前記画像取得処理部によって取得された前記用紙の画像データとを格納する文字・画像データ蓄積部と、
前記認識精度データ蓄積部に格納された過去の前記認識精度データに基づいて、前記振り分け識別データを生成する前記振り分け識別データ生成部とを備える
ことを特徴とする文字データ処理システム。
【請求項３】
請求項１又は請求項２に記載の文字データ処理システムにおいて、
さらに、前記手書き文字を前記用紙に記載するための筆記用具として用いられ、かつ、前記手書き文字の記載時に前記ストロークデータを外部に送信する電子ペンと、
前記電子ペンから送信された前記ストロークデータを受信して、第１の外部記憶媒体に格納する電子ペン受信装置とを有し、
前記振り分け装置は、前記第１の外部記憶媒体を介して前記電子ペン受信装置から前記ストロークデータを取得する
ことを特徴とする文字データ処理システム。
【請求項４】
請求項１乃至請求項３のいずれか一項に記載の文字データ処理システムにおいて、
前記振り分け装置は、前記振り分け識別データと前記用紙の画像データとが組み合わされたデータ、前記振り分け識別データと前記用紙の画像データと前記手書き認識結果データとが組み合わされたデータ、及び、前記振り分け識別データと前記用紙の画像データと前記ストローク認識結果データとが組み合わされたデータの中のいずれかの組み合わせのデータを前記用紙毎に生成して、第２の外部記憶媒体に格納し、
前記データエントリ用装置は、データ取得部によって、前記第２の外部記憶媒体を介して前記振り分け装置から前記いずれかの組み合わせのデータを取得する
ことを特徴とする文字データ処理システム。
【請求項５】
請求項４に記載の文字データ処理システムにおいて、
前記データエントリ用装置は、前記手書き認識修正部によって受け付けられた前記手書き認識結果データの修正データを手書き認識修正文字データとし、前記ストローク認識修正部によって受け付けられた前記ストローク認識結果データの修正データをストローク認識修正文字データとし、前記イメージエントリ部によって受け付けられた文字データをイメージエントリ文字データとし、当該手書き認識修正文字データと当該ストローク認識修正文字データと当該イメージエントリ文字データとを更新用の文字データとして第３の外部記憶媒体に格納し、
前記振り分け装置は、前記第３の外部記憶媒体を介して前記データエントリ用装置から前記更新用の文字データを取得し、当該更新用の文字データを前記文字データの最終データとして蓄積部に登録する
ことを特徴とする文字データ処理システム。
【請求項６】
用紙に記載された手書き文字に相当する文字データを取得するために、実行すべき処理を振り分ける振り分け装置において、
前記手書き文字を構成する画素の並びに基づいて、当該手書き文字を文字認識することによって文字データを取得する手書き認識処理部と、
前記手書き文字の筆跡を表すストロークデータに基づいて、当該手書き文字を文字認識することによって文字データを取得するストローク認識処理部と、
前記用紙の画像データを取得する画像取得処理部と、
前記手書き認識処理部によって取得された文字データを手書き認識結果データとし、前記ストローク認識処理部によって取得された文字データをストローク認識結果データとし、当該手書き認識結果データの認識精度データ及び当該ストローク認識結果データの認識精度データを格納する認識精度データ蓄積部と、
用紙に記載された手書き文字を文字認識する場合に、前記認識精度データ蓄積部に格納された過去の前記認識精度データに基づいて、前記手書き認識処理部と前記ストローク認識処理部と前記画像取得処理部との中からいずれかの処理部を選択し、当該選択した処理部に処理を振り分けて実行させる振り分け指示部と、
前記手書き認識処理部によって取得された前記手書き認識結果データと、前記ストローク認識処理部によって取得された前記ストローク認識結果データと、前記画像取得処理部によって取得された前記用紙の画像データとを格納する文字・画像データ蓄積部と、
前記認識精度データ蓄積部に格納された過去の前記認識精度データに基づいて、前記用紙毎に、前記手書き認識結果データの修正処理、前記ストローク認識結果データの修正処理、及び、欠落している文字データの入力処理の中から、実行すべき処理を振り分けるための振り分け識別データを生成する振り分け識別データ生成部とを備える
ことを特徴とする振り分け装置。
【請求項７】
請求項６に記載の振り分け装置において、
さらに、前記用紙毎に予め設定された用紙固有データと前記手書き文字を記載した機関を表す機関データとを対応付けるテーブルデータを格納するテーブルデータ蓄積部とを備えるとともに、
前記認識精度データ蓄積部は、前記認識精度データを、前記機関データと対応付けて格納しており、かつ、
前記振り分け指示部は、
前記テーブルデータ蓄積部に格納された前記テーブルデータを参照して、用紙毎に、前記手書き文字を記載した機関を特定し、
特定された機関に応じて、前記認識精度データ蓄積部に格納された過去の前記認識精度データに基づいて、前記手書き認識処理部と前記ストローク認識処理部と前記画像取得処理部との中からいずれかの処理部を選択する
ことを特徴とする振り分け装置。
【請求項８】
請求項６又は請求項７に記載の振り分け装置において、
さらに、前記ストロークデータが格納された第１の外部記憶媒体から前記ストロークデータを取得するデータ取得部と、
前記データ取得部によって前記第１の外部記憶媒体からから取得された前記ストロークデータを格納するストロークデータ蓄積部とを備え、
前記ストローク認識処理部は、前記ストロークデータ蓄積部に格納された前記ストロークデータに基づいて前記手書き文字を文字認識する
ことを特徴とする振り分け装置。
【請求項９】
請求項６乃至請求項８のいずれか一項に記載の振り分け装置において、
前記手書き認識処理部は、前記手書き認識結果データに加え、前記用紙の画像データも取得するとともに、
前記ストローク認識処理部は、前記ストローク認識結果データに加え、前記用紙の画像データも取得し、かつ、
前記文字・画像データ蓄積部は、前記用紙毎に、前記用紙毎に予め設定された用紙固有データに対応して、前記画像取得処理部によって取得された前記用紙の画像データ、又は、前記手書き認識処理部によって取得された前記用紙の画像データと前記手書き認識結果データ、又は、前記ストローク認識処理部によって取得された前記用紙の画像データと前記ストローク認識結果データのいずれかの組み合わせを含むデータを格納する
ことを特徴とする振り分け装置。
【請求項１０】
請求項９に記載の振り分け装置において、
さらに、データを第２の外部記憶媒体に格納させるデータ出力部を備え、
前記振り分け識別データ生成部は、
前記認識精度データ蓄積部に格納された前記認識精度データに基づいて前記振り分け識別データを生成するとともに、
前記文字・画像データ蓄積部から、前記用紙毎に、前記用紙固有データに対応して、前記用紙の画像データ、又は、前記用紙の画像データと前記手書き認識結果データ、又は、前記用紙の画像データと前記ストローク認識結果データのいずれかの組み合わせを含むデータを取得し、
生成した前記振り分け識別データと取得した当該いずれかの組み合わせを含むデータとを対応付けて、前記データ出力部を介して前記第２の外部記憶媒体に格納させる
ことを特徴とする振り分け装置。
【請求項１１】
請求項１０に記載の振り分け装置において、
さらに、第３の外部記憶媒体から更新用の文字データを取得した場合に、当該更新用の文字データを前記文字データの最終データとして前記文字・画像データ蓄積部に登録させる格納処理部とを備える
ことを特徴とする振り分け装置。
【請求項１２】
用紙に記載された手書き文字を文字認識することによって取得された文字データの修正処理及び欠落している文字データの入力処理を行うデータエントリ用装置において、
前記手書き文字を構成する画素の並びに基づいて、当該手書き文字を文字認識することによって取得される文字データを手書き認識結果データとし、当該手書き認識結果データを表示手段に表示させて、作業者による入力部からの当該手書き認識結果データの修正を受け付ける手書き認識修正部と、
前記手書き文字の筆跡を表すストロークデータに基づいて、当該手書き文字を文字認識することによって取得される文字データをストローク認識結果データとし、当該ストローク認識結果データを前記表示手段に表示させて、前記作業者による前記入力部からの当該ストローク認識結果データの修正を受け付けるストローク認識修正部と、
用紙の画像データを前記表示手段に表示させて、前記作業者による前記入力部からの前記欠落している文字データの入力を受け付けるイメージエントリ処理部と、
実行すべき処理を識別するためのデータを振り分け識別データとし、外部から、当該振り分け識別データと前記用紙の画像データとが組み合わされたデータ、当該振り分け識別データと前記用紙の画像データと前記手書き認識結果データとが組み合わされたデータ、及び、当該振り分け識別データと前記用紙の画像データと前記ストローク認識結果データとが組み合わされたデータの中のいずれかの組み合わせのデータを前記用紙毎に取得した場合に、前記用紙毎に、当該振り分け識別データに基づいて、前記手書き認識修正部と前記ストローク認識修正部と前記イメージエントリ処理部との中からいずれかの修正部若しくは処理部を選択し、当該振り分け識別データに組み合わされたデータを当該選択した修正部若しくは処理部に供給することにより、当該選択した修正部若しくは処理部に処理を実行させる振り分け処理部とを備える
ことを特徴とするデータエントリ用装置。
【請求項１３】
請求項１２に記載のデータエントリ用装置において、
さらに、前記手書き認識修正処理部によって受け付けられた前記手書き認識結果データの修正データを手書き認識修正文字データとし、前記ストローク認識修正処理部によって受け付けられた前記ストローク認識結果データの修正データをストローク認識修正文字データとし、前記イメージエントリ処理部によって受け付けられた文字データをイメージエントリ文字データとし、当該手書き認識修正文字データと当該ストローク認識修正文字データと当該イメージエントリ文字データとを、前記文字データの最終データとなる更新用の文字データとして、格納する蓄積部とを備える
ことを特徴とするデータエントリ用装置。
【請求項１４】
コンピュータを、用紙に記載された手書き文字に相当する文字データを取得するために、実行すべき処理を振り分ける振り分け装置として機能させるためのプログラムであって、
当該コンピュータを、
前記手書き文字を構成する画素の並びに基づいて、当該手書き文字を文字認識することによって文字データを取得する手書き認識処理部と、
前記手書き文字の筆跡を表すストロークデータに基づいて、当該手書き文字を文字認識することによって文字データを取得するストローク認識処理部と、
前記用紙の画像データを取得する画像取得処理部と、
前記手書き認識処理部によって取得された文字データを手書き認識結果データとし、前記ストローク認識処理部によって取得された文字データをストローク認識結果データとし、当該手書き認識結果データの認識精度データ及び当該ストローク認識結果データの認識精度データを格納する認識精度データ蓄積部と、
用紙に記載された手書き文字を文字認識する場合に、前記認識精度データ蓄積部に格納された過去の前記認識精度データに基づいて、前記手書き認識処理部と前記ストローク認識処理部と前記画像取得処理部との中からいずれかの処理部を選択し、当該選択した処理部に処理を振り分けて実行させる振り分け指示部と、
前記手書き認識処理部によって取得された前記手書き認識結果データと、前記ストローク認識処理部によって取得された前記ストローク認識結果データと、前記画像取得処理部によって取得された前記用紙の画像データとを格納する文字・画像データ蓄積部と、
前記認識精度データ蓄積部に格納された過去の前記認識精度データに基づいて、前記用紙毎に、前記手書き認識結果データの修正処理、前記ストローク認識結果データの修正処理、及び、欠落している文字データの入力処理の中から、実行すべき処理を振り分けるための振り分け識別データを生成する振り分け識別データ生成部として機能させる
ことを特徴とするプログラム。
【請求項１５】
コンピュータを、用紙に記載された手書き文字を文字認識することによって取得された文字データの修正処理及び欠落している文字データの入力処理を行うデータエントリ用装置として機能させるためのプログラムであって、
当該コンピュータを、
前記手書き文字を構成する画素の並びに基づいて、当該手書き文字を文字認識することによって取得される文字データを手書き認識結果データとし、当該手書き認識結果データを表示手段に表示させて、作業者による入力部からの当該手書き認識結果データの修正を受け付ける手書き認識修正部と、
前記手書き文字の筆跡を表すストロークデータに基づいて、当該手書き文字を文字認識することによって取得される文字データをストローク認識結果データとし、当該ストローク認識結果データを前記表示手段に表示させて、前記作業者による前記入力部からの当該ストローク認識結果データの修正を受け付けるストローク認識修正部と、
用紙の画像データを前記表示手段に表示させて、前記作業者による前記入力部からの前記欠落している文字データの入力を受け付けるイメージエントリ処理部と、
実行すべき処理を識別するためのデータを振り分け識別データとし、外部から、当該振り分け識別データと前記用紙の画像データとが組み合わされたデータ、当該振り分け識別データと前記用紙の画像データと前記手書き認識結果データとが組み合わされたデータ、及び、当該振り分け識別データと前記用紙の画像データと前記ストローク認識結果データとが組み合わされたデータの中のいずれかの組み合わせのデータを前記用紙毎に取得した場合に、前記用紙毎に、当該振り分け識別データに基づいて、前記手書き認識修正部と前記ストローク認識修正部と前記イメージエントリ処理部との中からいずれかの修正部若しくは処理部を選択し、当該振り分け識別データに組み合わされたデータを当該選択した修正部若しくは処理部に供給することにより、当該選択した修正部若しくは処理部に処理を実行させる振り分け処理部として機能させる
ことを特徴とするプログラム。
【発明の詳細な説明】
【技術分野】
【０００１】
本発明は、用紙に記載された文字（特に、手書き文字）に相当する文字データを短時間でかつ正確に取得するための文字データ処理システム、当該システムに供する振り分け装置、データエントリ用装置、及びプログラムに関する。
【背景技術】
【０００２】
従来、用紙に記載された文字に相当する文字データをコンピュータに入力して、その文字データを所望の目的に利用することが、様々な分野で行われている。
例えば、保険診療の分野では、公的医療保険の審査支払機関が、医療機関から送付された診療報酬明細書（以下、「レセプト」と称する）に記載された文字（主に、診療報酬等の手書き文字）に相当する文字データをコンピュータに入力して、コンピュータに、その文字データに基づいて診療報酬の対価を計算させている。
【０００３】
以下、文字データの利用につき、保険診療の分野を例にして説明する。
保険診療の分野では、診療報酬（例えば、医師又は歯科医師の医療行為に対する技術料や薬剤師の調剤行為に対する技術料等）は、一部（１〜３割）が患者によって医療機関の窓口で支払われ、残りが公的医療保険で支払われる。そこで、医療機関は、実施した診療内容に基づいてレセプトを作成し、作成したレセプトを審査支払機関（例えば、社会保険診療報酬支払基金や国民健康保険団体連合会等）に送付する。これによって、医療機関は、公的医療保険で支払われる診療報酬を審査支払機関に請求する。なお、レセプトは、各項目が、金額ではなく、厚生労働省によって規定された診療報酬点数表に基づいて計算された点数（１点＝１０円）を記入する形式となっている。
【０００４】
審査支払機関は、医療機関からレセプトが送付されると、文字データの入力処理及び修正処理（以下、「入力・修正処理」と称する）を行い、文字データの修正処理が終了すると、コンピュータに、診療報酬の対価を計算させる。
なお、文字データの入力処理は、審査支払機関が、手作業でレセプトに記載された文字に相当する文字データをコンピュータに入力するか、又は、レセプトの画像データを、画素の並びに基づいて文字認識する機能が付加されたコンピュータに入力して、レセプトに記載された文字を、このコンピュータに文字認識させて、文字データを生成させることによって、行われる。
また、文字データの修正処理は、審査支払機関が、手作業で、文字データの正誤をチェックして、文字データが誤っている場合に、誤っている文字データを正しい文字データに修正することによって、行われる。
【０００５】
ところで、レセプトは、診療報酬等が手書きで記入されているため、手書きで記入された文字（以下、「手書き文字」と称する）が記載者の書き癖によって別の文字と類似して見える場合がある。
そのため、手作業で文字データをコンピュータに入力する場合に、審査支払機関は、手書き文字を分析するための時間、文字データを入力するための時間、及び入力された文字データの正誤をチェックして修正するための時間が必要であった。
また、コンピュータに文字認識させる場合に、コンピュータは、画素の並びに基づいて文字認識するだけであるので、誤った文字データを生成するときがある。そのため、審査支払機関は、生成された文字データの正誤をチェックして修正するための時間が必要であった。
【０００６】
しかしながら、診療報酬は、医療機関に速やかに支払われる必要がある。そのため、審査支払機関がレセプトを受け取ってから診療報酬を支払うまでの期間には、期限が設定されている。
したがって、審査支払機関は、期限内に、文字データの入力・修正処理を行うために、多大な労力を必要としていた。
しかも、文字データは、誤ってコンピュータに入力される可能性及び誤って入力されたデータが修正されずに残る可能性があった。
【０００７】
これらの点を解決するために、医療機関のコンピュータにレセプトを作成させるシステムも存在する（例えば、非特許文献１参照）。しかしながら、医療機関では、コンピュータに文字データの入力処理を行うための人員及び時間が、不足している。そのため、レセプトは、依然として、手作業で作成される場合があった。
【０００８】
そこで、審査支払機関は、文字データの入力・修正処理の時間を短縮するために、また、誤った文字データが入力される可能性を低減するために、データの処理経験が豊富なデータエントリ業者に、文字データの入力・修正処理を委託していた。
【０００９】
そのデータエントリ業者は、文字データを入力するための時間を短縮すること及び誤った文字データが入力される可能性を低減することはできる。
しかしながら、たとえデータの処理経験が豊富なデータエントリ業者であっても、手書き文字が別の文字と類似して見える場合に、手書き文字を分析するための時間及び入力された文字の正誤をチェックして修正するための時間が必要である。そのため、たとえデータエントリ業者であっても、期限内に、文字データの入力・修正処理を完了することは、困難であった。また、誤った文字データが入力される可能性が、依然としてあった。
【先行技術文献】
【非特許文献】
【００１０】
【非特許文献１】社会保険診療報酬支払基金のホームページ（ｈｔｔｐ：／／ｗｗｗ．ｓｓｋ．ｏｒ．ｊｐ／ｙｏｓｈｉｋｉ／ｉｎｄｅｘ．ｈｔｍｌ）
【発明の概要】
【発明が解決しようとする課題】
【００１１】
前記した通り、たとえデータの処理経験が豊富なデータエントリ業者であっても、期限内に、文字データの入力・修正処理を完了することが困難であるという課題、及び、誤った文字データが入力される可能性が依然としてあるという課題があった。
そのため、用紙に記載された文字（特に、手書き文字）に相当する文字データを短時間でかつ正確に取得する文字データ処理システム及び装置等の提供が要望されていた。
【００１２】
そこで、発明者は、文字データを必要とする機関（ここでは、審査支払機関）やデータエントリ業者のコンピュータに、用紙に記載された手書き文字の画素の並びに基づいて文字認識する機能に加え、文字の筆跡に基づいて文字認識する機能を付加し、さらに、用紙毎に、これらの文字認識機能の中で、好適な側の文字認識機能（すなわち、短時間でかつ高精度に文字データを取得できる側の文字認識機能）による文字データの入力・修正処理を自動的に選択・実行するように構成すれば、文字データを短時間でかつ正確に（少なくとも、従来の装置（すなわち、手書き文字の画素の並びに基づいて文字認識することにより文字データを取得するだけのコンピュータ）よりも高精度に）取得することができると考えた。
【００１３】
本発明は、前記した課題を解決するためになされたものであり、文字データを短時間でかつ正確に取得することができる文字データ処理システム、当該システムに供する振り分け装置、データエントリ用装置、及びプログラムを提供することを主な目的とする。
【課題を解決するための手段】
【００１４】
前記目的を達成するため、第１発明は、文字データ処理システムであって、用紙に記載された手書き文字を構成する画素の並びに基づいて、当該手書き文字を文字認識することによって取得される文字データを手書き認識結果データとし、当該手書き文字の筆跡を表すストロークデータに基づいて、当該手書き文字を文字認識することによって取得される文字データをストローク認識結果データとし、前記手書き認識結果データの修正処理、前記ストローク認識結果データの修正処理、及び、欠落している文字データの入力処理の中から、実行すべき処理を振り分ける（選択・実行させる）ための振り分け識別データを生成する振り分け識別データ生成部を備え、前記振り分け識別データ生成部によって、前記用紙毎に、前記振り分け識別データを生成することにより、実行すべき処理を、前記手書き認識結果データの修正を受け付ける手書き認識修正処理と、前記ストローク認識結果データの修正を受け付けるストローク認識修正処理と、前記用紙の画像データに基づく作業者による入力部からの前記欠落している文字データの入力を受け付けるイメージエントリ処理との中のいずれかに振り分ける振り分け装置と、前記振り分け装置から、前記振り分け識別データと前記用紙の画像データとが組み合わされたデータ、前記振り分け識別データと前記用紙の画像データと前記手書き認識結果データとが組み合わされたデータ、及び、前記振り分け識別データと前記用紙の画像データと前記ストローク認識結果データとが組み合わされたデータの中のいずれかの組み合わせのデータを前記用紙毎に取得するデータ取得部と、前記手書き認識修正処理を実行する手書き認識修正部と、前記ストローク認識修正処理を実行するストローク認識修正部と、前記イメージエントリ処理を実行するイメージエントリ処理部と、実行すべき処理を振り分ける振り分け処理部とを備え、前記振り分け処理部によって、前記用紙毎に、前記振り分け識別データに基づいて、前記手書き認識修正部と前記ストローク認識修正部と前記イメージエントリ処理部との中からいずれかの修正部若しくは処理部を選択し、当該選択した修正部若しくは処理部に処理を実行させることにより、前記用紙に記載された前記手書き文字に相当する文字データを取得するデータエントリ用装置とを有する構成とする。
【００１５】
この文字データ処理システムは、振り分け装置とデータエントリ用装置とを有している。振り分け装置は、保険診療の分野では、審査支払機関で用いられる装置であり、データエントリ用装置は、データエントリ業者で用いられる装置である。
【００１６】
前者の振り分け装置は、データエントリ用装置の実施すべき処理を振り分ける装置である。振り分け装置は、振り分け識別データを生成して、データエントリ用装置に供給する。これにより、振り分け装置は、データエントリ用装置に、好適な文字データの入力・修正処理を自動的に選択・実行させる。なお、振り分け装置は、好ましくは、文字を記載した機関（個人の場合を含む）に応じて、振り分け識別データを生成するとよい。これにより、振り分け装置は、文字を記載した機関に応じて、データエントリ用装置に、好適な文字データの入力・修正処理を自動的に選択・実行させることができる。
【００１７】
後者のデータエントリ用装置は、用紙に記載された手書き文字に相当する文字データを取得する装置である。データエントリ用装置は、手書き認識修正部、ストローク認識修正部、及びイメージエントリ処理部を備えている。
【００１８】
手書き認識修正部は、手書き認識修正処理（すなわち、画素の並びに基づいて文字認識された手書き文字の文字データを手書き認識結果データとし、その手書き認識結果データの修正を受け付ける処理）を実行する機能手段である。ストローク認識修正部は、ストローク認識修正処理（すなわち、手書き文字の筆跡を表すストロークデータに基づいて文字認識された手書き文字の文字データをストローク認識結果データとし、そのストローク認識結果データの修正を受け付ける処理）を実行する機能手段である。イメージエントリ処理部は、イメージエントリ処理（すなわち、用紙の画像データに基づく作業者による入力部からの手書き文字に相当する文字データの入力を受け付ける処理）を実行する機能手段である。
【００１９】
なお、手書き認識は、ストローク認識と比較すると、認識の対象となる画像データのデータ量が比較的少ないため、短時間で処理を実行できるという長所を有しているが、短所として、画像データの文字が不明瞭な場合に、文字を誤って認識する可能性がある。一方、ストローク認識は、手書き認識と比較すると、画像データの文字が不明瞭な場合であっても、文字の筆跡に基づいて文字認識するため、文字を正確に認識できる可能性が高いという長所を有しているが、短所として、認識の対象となるストロークデータのデータ量が比較的多いため、処理に時間を要する可能性がある。そのため、文字データ処理システムは、運用に応じて、例えば、文字を記載した機関の過去の手書き認識及びストローク認識の認識精度に応じて、用紙毎に、手書き認識修正処理、ストローク認識修正処理、及びイメージエントリ処理を使い分けることによって、文字データを効率よく（すなわち、短時間でかつ正確に）取得することが可能となる。
【００２０】
データエントリ用装置は、データ取得部によって、振り分け装置から、用紙毎に、振り分け識別データ及び用紙の画像データと、振り分け識別データ及び用紙の画像データ及び手書き認識結果データと、振り分け識別データ及び用紙の画像データ及びストローク認識結果データとのいずれかの組み合わせを含むデータを取得する。用紙の画像データ、手書き認識結果データ、及びストローク認識結果データは、手書き認識修正処理、ストローク認識修正処理、及びイメージエントリ処理に用いられるデータである。
【００２１】
データエントリ用装置は、振り分け処理部によって、用紙毎に、振り分け識別データに基づいて、手書き認識修正部とストローク認識修正部とイメージエントリ処理部との中からいずれかの修正部若しくは処理部を選択し、選択した修正部若しくは処理部に処理を実行させる。
【００２２】
したがって、この文字データ処理システムは、用紙毎に、手書き認識修正、ストローク認識修正及びイメージエントリ処理の中のいずれかの好適な処理を選択・実行する構成となっている。
【００２３】
また、第２発明は、用紙に記載された手書き文字に相当する文字データを取得するために、実行すべき処理を振り分ける振り分け装置であって、前記手書き文字を構成する画素の並びに基づいて、当該手書き文字を文字認識することによって文字データを取得する手書き認識処理部と、前記手書き文字の筆跡を表すストロークデータに基づいて、当該手書き文字を文字認識することによって文字データを取得するストローク認識処理部と、前記用紙の画像データを取得する画像取得処理部と、前記手書き認識処理部によって取得された文字データを手書き認識結果データとし、前記ストローク認識処理部によって取得された文字データをストローク認識結果データとし、当該手書き認識結果データの認識精度データ及び当該ストローク認識結果データの認識精度データを格納する認識精度データ蓄積部と、用紙に記載された手書き文字を文字認識する場合に、前記認識精度データ蓄積部に格納された過去の前記認識精度データに基づいて、前記手書き認識処理部と前記ストローク認識処理部と前記画像取得処理部との中からいずれかの処理部を選択し、当該選択した処理部に処理を振り分けて実行させる振り分け指示部と、前記手書き認識処理部によって取得された前記手書き認識結果データと、前記ストローク認識処理部によって取得された前記ストローク認識結果データと、前記画像取得処理部によって取得された前記用紙の画像データとを格納する文字・画像データ蓄積部と、前記認識精度データ蓄積部に格納された過去の前記認識精度データに基づいて、前記用紙毎に、前記手書き認識結果データの修正処理、前記ストローク認識結果データの修正処理、及び、欠落している文字データの入力処理の中から、実行すべき処理を振り分けるための振り分け識別データを生成する振り分け識別データ生成部とを備える構成とする。
【００２４】
なお、認識精度データは、過去の用紙に基づいて、手書き認識結果データ（すなわち、画素の並びに基づいて文字認識することによって取得された文字データ）の正誤率、及び、ストローク認識結果データ（すなわち、ストロークデータに基づいて文字認識することによって取得された文字データ）の正誤率を統計的に割り出したデータである。振り分け装置は、過去の認識精度データに基づいて、手書き認識処理部とストローク認識処理部と画像取得処理部との中からいずれかの処理部を選択し、選択した処理部に処理を実行させる。これによって、振り分け装置は、外部装置（ここでは、第３発明のデータエントリ用装置）に処理を実行させるためのデータとして、手書き認識結果データ、ストローク認識結果データ、及び画像データを選択的に取得する。また、振り分け装置は、過去の認識精度データに基づいて、振り分け識別データを生成する。これによって、振り分け装置は、外部装置の実行すべき処理を好適に振り分ける。
【００２５】
また、第３発明は、用紙に記載された手書き文字を文字認識することによって取得された文字データの修正処理及び欠落している文字データの入力処理を行うデータエントリ用装置であって、前記手書き文字を構成する画素の並びに基づいて、当該手書き文字を文字認識することによって取得される文字データを手書き認識結果データとし、当該手書き認識結果データを表示手段に表示させて、作業者による入力部からの当該手書き認識結果データの修正を受け付ける手書き認識修正部と、前記手書き文字の筆跡を表すストロークデータに基づいて、当該手書き文字を文字認識することによって取得される文字データをストローク認識結果データとし、当該ストローク認識結果データを前記表示手段に表示させて、前記作業者による前記入力部からの当該ストローク認識結果データの修正を受け付けるストローク認識修正部と、用紙の画像データを前記表示手段に表示させて、前記作業者による前記入力部からの前記欠落している文字データの入力を受け付けるイメージエントリ処理部と、実行すべき処理を識別するためのデータを振り分け識別データとし、外部から、当該振り分け識別データと前記用紙の画像データとが組み合わされたデータ、当該振り分け識別データと前記用紙の画像データと前記手書き認識結果データとが組み合わされたデータ、及び、当該振り分け識別データと前記用紙の画像データと前記ストローク認識結果データとが組み合わされたデータの中のいずれかの組み合わせのデータを前記用紙毎に取得した場合に、前記用紙毎に、当該振り分け識別データに基づいて、前記手書き認識修正部と前記ストローク認識修正部と前記イメージエントリ処理部との中からいずれかの修正部若しくは処理部を選択し、当該振り分け識別データに組み合わされたデータを当該選択した修正部若しくは処理部に供給することにより、当該選択した修正部若しくは処理部に処理を実行させる振り分け処理部とを備える構成とする。
【００２６】
また、第４発明は、コンピュータを、用紙に記載された手書き文字に相当する文字データを取得するために、実行すべき処理を振り分ける振り分け装置として機能させるためのプログラムであって、当該コンピュータを、前記手書き文字を構成する画素の並びに基づいて、当該手書き文字を文字認識することによって文字データを取得する手書き認識処理部と、前記手書き文字の筆跡を表すストロークデータに基づいて、当該手書き文字を文字認識することによって文字データを取得するストローク認識処理部と、前記用紙の画像データを取得する画像取得処理部と、前記手書き認識処理部によって取得された文字データを手書き認識結果データとし、前記ストローク認識処理部によって取得された文字データをストローク認識結果データとし、当該手書き認識結果データの認識精度データ及び当該ストローク認識結果データの認識精度データを格納する認識精度データ蓄積部と、用紙に記載された手書き文字を文字認識する場合に、前記認識精度データ蓄積部に格納された過去の前記認識精度データに基づいて、前記手書き認識処理部と前記ストローク認識処理部と前記画像取得処理部との中からいずれかの処理部を選択し、当該選択した処理部に処理を振り分けて実行させる振り分け指示部と、前記手書き認識処理部によって取得された前記手書き認識結果データと、前記ストローク認識処理部によって取得された前記ストローク認識結果データと、前記画像取得処理部によって取得された画像データとを格納する文字・画像データ蓄積部と、前記認識精度データ蓄積部に格納された過去の前記認識精度データに基づいて、前記用紙毎に、前記手書き認識結果データの修正処理、前記ストローク認識結果データの修正処理、及び、欠落している文字データの入力処理の中から、実行すべき処理を振り分けるための振り分け識別データを生成する振り分け識別データ生成部として機能させる構成とする。
【００２７】
また、第５発明は、コンピュータを、用紙に記載された手書き文字を文字認識することによって取得された文字データの修正処理及び欠落している文字データの入力処理を行うデータエントリ用装置として機能させるためのプログラムであって、当該コンピュータを、前記手書き文字を構成する画素の並びに基づいて、当該手書き文字を文字認識することによって取得される文字データを手書き認識結果データとし、当該手書き認識結果データを表示手段に表示させて、作業者による入力部からの当該手書き認識結果データの修正を受け付ける手書き認識修正部と、前記手書き文字の筆跡を表すストロークデータに基づいて、当該手書き文字を文字認識することによって取得される文字データをストローク認識結果データとし、当該ストローク認識結果データを前記表示手段に表示させて、前記作業者による前記入力部からの当該ストローク認識結果データの修正を受け付けるストローク認識修正部と、用紙の画像データを前記表示手段に表示させて、前記作業者による前記入力部からの前記欠落している文字データの入力を受け付けるイメージエントリ処理部と、実行すべき処理を識別するためのデータを振り分け識別データとし、外部から、当該振り分け識別データと前記用紙の画像データとが組み合わされたデータ、当該振り分け識別データと前記用紙の画像データと前記手書き認識結果データとが組み合わされたデータ、及び、当該振り分け識別データと前記用紙の画像データと前記ストローク認識結果データとが組み合わされたデータの中のいずれかの組み合わせのデータを前記用紙毎に取得した場合に、前記用紙毎に、当該振り分け識別データに基づいて、前記手書き認識修正部と前記ストローク認識修正部と前記イメージエントリ処理部との中からいずれかの修正部若しくは処理部を選択し、当該振り分け識別データに組み合わされたデータを当該選択した修正部若しくは処理部に供給することにより、当該選択した修正部若しくは処理部に処理を実行させる振り分け処理部として機能させる構成とする。
その他の手段は、後記する。
【発明の効果】
【００２８】
第１発明によれば、文字データを短時間でかつ正確に取得することができる文字データ処理システムを、また、第２発明によれば、第１発明のシステムに供する振り分け装置を、また、第３発明によれば、第１発明のシステムに供するデータエントリ用装置を、また、第４発明によれば、第２発明の振り分け装置を実現するプログラムを、また、第５発明によれば、第３発明のデータエントリ用装置を実現するプログラムを、それぞれ提供することができる。
【図面の簡単な説明】
【００２９】
【図１】実施形態に係る文字データ処理システムの構成を示すブロック図である。
【図２】実施形態に係る用紙印刷指示装置の構成を示す図である。
【図３】実施形態に係る振り分け装置の構成を示す図（１）である。
【図４】実施形態に係る振り分け装置の構成を示す図（２）である。
【図５】実施形態に係る電子ペンデータ受信装置の構成を示す図である。
【図６】実施形態に係るデータエントリ用装置の構成を示す図である。
【図７】システム全体の動作を示すフローチャートである。
【図８】用紙印刷指示装置の動作を示すフローチャートである。
【図９】電子ペンデータ受信装置の動作を示すフローチャートである。
【図１０Ａ】振り分け装置の動作を示すフローチャート（１）である。
【図１０Ｂ】振り分け装置の動作を示すフローチャート（２）である。
【図１１】振り分け装置の動作を示すフローチャート（３）である。
【図１２】振り分け装置の動作を示すフローチャート（４）である。
【図１３】データエントリ用装置の動作を示すフローチャート（１）である。
【図１４】データエントリ用装置の動作を示すフローチャート（２）である。
【図１５】データエントリ用装置の動作を示すフローチャート（３）である。
【図１６】振り分け装置の動作を示すフローチャート（５）である。
【図１７】用紙印刷指示装置の表示画面の一例を示す図である。
【図１８】電子ペンデータ受信装置の表示画面の一例を示す図（１）である。
【図１９】電子ペンデータ受信装置の表示画面の一例を示す図（２）である。
【図２０】電子ペンデータ受信装置の表示画面の一例を示す図（３）である。
【図２１】振り分け装置の表示画面の一例を示す図（１）である。
【図２２】振り分け装置の表示画面の一例を示す図（２）である。
【図２３】振り分け装置の表示画面の一例を示す図（３）である。
【図２４】振り分け装置の表示画面の一例を示す図（４）である。
【図２５】振り分け装置の表示画面の一例を示す図（５）である。
【図２６】データエントリ用装置の表示画面の一例を示す図（１）である。
【図２７】データエントリ用装置の表示画面の一例を示す図（２）である。
【図２８】データエントリ用装置の表示画面の一例を示す図（３）である。
【図２９】データエントリ用装置の表示画面の一例を示す図（４）である。
【図３０】振り分け装置の表示画面の一例を示す図（６）である。
【発明を実施するための形態】
【００３０】
以下、図面を参照して、本発明の実施の形態（以下、「本実施形態」と称する）につき詳細に説明する。なお、各図は、本発明を理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００３１】
＜文字データ処理システムの構成＞
以下、図１を参照して、本実施形態に係る文字データ処理システムの構成につき説明する。図１は、本実施形態の文字データ処理システムの構成を示すブロック図である。
【００３２】
図１に示すように、本実施形態に係る文字データ処理システム１００は、審査支払機関２００で用いられる機器と、医療機関３００で用いられる機器と、データエントリ業者４００で用いられる機器とに分かれている。「審査支払機関２００」とは、医療機関３００から送付されたレセプト５００ａの記載内容を審査して、診療報酬の対価を医療機関３００に支払う機関である。審査支払機関２００としては、例えば、社会保険診療報酬支払基金や国民健康保険団体連合会等がある。また、「医療機関３００」とは、患者に、医療行為を行う機関（個人の医者の場合を含む）である。また、「データエントリ業者４００」とは、レセプト５００ａに記載された文字（主に、診療報酬等の手書き文字）に相当する文字データのコンピュータへの入力処理及び修正処理を行う業者である。以下、入力処理及び修正処理を総称する場合に、「入力・修正処理」と称する。
【００３３】
審査支払機関２００で用いられる機器としては、例えば、パーソナルコンピュータ（以下、「ＰＣ」と称する）２１０，２４０、プリンタ２２０、及びスキャナ２３０がある。なお、プリンタ２２０及びスキャナ２３０は、公知の装置であるので、ここでは、詳細な説明を省略する。
【００３４】
ＰＣ２１０は、プリンタ２２０と通信可能に接続されたコンピュータである。ＰＣ２１０は、記憶部２１４（図２参照）の図示せぬ格納部に、印刷処理用プログラム２１０ａが格納されている。この印刷処理用プログラム２１０ａは、ＰＣ２１０を用紙印刷指示装置（すなわち、プリンタ２２０に用紙の印刷を指示する装置）として機能させるためのプログラムである。
【００３５】
ＰＣ２１０は、印刷処理用プログラム２１０ａを実行することによって、例えば、図２に示す構成要素が構築される。このＰＣ２１０は、印刷指示２１３ａ（図２参照）をプリンタ２２０に送信して、プリンタ２２０に、電子ペン専用紙５００を印刷させる。以下、ＰＣ２１０を「用紙印刷指示装置２１０」と称する。用紙印刷指示装置２１０の具体的な構成については、図２を用いて後記する。なお、電子ペン専用紙５００は、審査支払機関２００から医療機関３００に送付されて、医療機関３００で文字が記入される用紙である。ここでは、文字が記入された電子ペン専用紙５００を「レセプト５００ａ」と称する。
【００３６】
一方、ＰＣ２４０は、スキャナ２３０と通信可能に接続されたコンピュータである。ＰＣ２４０は、記憶部２４４（図３参照）の図示せぬ格納部に、振り分け処理用プログラム２４０ａが格納されている。この振り分け処理用プログラム２４０ａは、ＰＣ２４０を、データエントリ用装置４１０の実行すべき処理を振り分ける（選択・実行させる）装置として機能させるためのプログラムである。
【００３７】
ＰＣ２４０は、振り分け処理用プログラム２４０ａを実行することによって、例えば、図３に示す構成要素が構築される。このＰＣ２４０は、スキャナ２３０を作動させて、レセプト５００ａの画像データ２３０ａ（図３及び図４参照）を取得する。また、このＰＣ２４０は、データエントリ用装置４１０の実行すべき処理を振り分ける（選択・実行させる）ためのファイルデータ（以下、「振り分け識別データ２５６ａ（図３参照）」と称する）を生成する。以下、ＰＣ２４０を「振り分け装置２４０」と称する。振り分け装置２４０の具体的な構成については、図３及び図４を用いて後記する。
【００３８】
医療機関３００で用いられる機器としては、電子ペン３１０及び電子ペンデータ受信装置３２０がある。
【００３９】
電子ペン３１０は、記載された文字の座標位置や文字の筆跡等を検出する機能が付加されたペンである。ここでは、電子ペン３１０は、電波を送信する機能が付加されて、電子ペンデータ受信装置３２０と組み合わされる装置として説明する。
電子ペン３１０は、文字が電子ペン専用紙５００に記載されると、電子ペン専用紙５００のページ毎に、記載された文字の筆跡（厳密には、文字の座標位置及び各時系列における文字を構成する画素）を検出して、検出した文字の筆跡を表すデータ（以下、「ストロークデータ」と称する）３１０ａａ（図５参照）を生成する。そして、電子ペン３１０は、電子ペン専用紙５００の各ページに予め定められた固有のデータ（以下、「用紙固有データ」と称する）５００Ａａ（図５参照）とそのストロークデータ３１０ａａとを組み合わせて、記載された文字に関するデータ（以下、「電子ペンデータ」と称する）３１０ａ（図５参照）を生成し、生成した電子ペンデータ３１０ａを電子ペンデータ受信装置３２０に送信する。なお、電子ペン３１０は、公知の装置であるので、ここでは、詳細な説明を省略する（例えば、特開平０６−１６２１２０号公報参照）。
【００４０】
一方、電子ペンデータ受信装置３２０は、電子ペン３１０から送信された電子ペンデータ３１０ａを受信する装置である。電子ペンデータ受信装置３２０の具体的な構成については、図５を用いて後記する。
電子ペンデータ受信装置３２０は、受信した電子ペンデータ３１０ａを内部の記憶部（具体的には、電子ペンデータ蓄積部３１４Ａ（図５参照））に格納する。そして、電子ペンデータ受信装置３２０は、外部記憶媒体やネットワーク等を介して、記憶部に格納された電子ペンデータ３１０ａを外部のコンピュータ（ここでは、審査支払機関２００の振り分け装置２４０）に出力して、コンピュータに、電子ペンデータ３１０ａに含まれているストロークデータ３１０ａａに基づいて文字認識を行わせて文字データを取得させる。なお、ここでは、電子ペンデータ３１０ａは、外部記憶媒体６０１（図１参照）に格納されて、医療機関３００から審査支払機関２００に送付されるものとして説明する。
【００４１】
データエントリ業者４００で用いられる機器としては、ＰＣ４１０がある。
ＰＣ４１０は、記憶部４１４（図６参照）の図示せぬ格納部に、エントリ処理用プログラム４１０ａが格納されたコンピュータである。このエントリ処理用プログラム４１０ａは、ＰＣ４１０をデータエントリ用装置（すなわち、文字データの入力・修正処理を行う装置）として機能させるためのプログラムである。ＰＣ４１０は、エントリ処理用プログラム４１０ａを実行することによって、例えば、図６に示す構成要素が構築される。以下、ＰＣ４１０を「データエントリ用装置４１０」と称する。
【００４２】
なお、審査支払機関２００と医療機関３００との間、及び、審査支払機関２００とデータエントリ業者４００との間では、以下の物品が送付される。
【００４３】
審査支払機関２００と医療機関３００との間では、電子ペン専用紙５００が、審査支払機関２００から医療機関３００に送付される。
また、審査支払機関２００と医療機関３００との間では、レセプト５００ａ及び第１の外部記憶媒体６０１（以下、「第１記憶媒体６０１」と称する）が、医療機関３００から審査支払機関２００に送付される。なお、第１記憶媒体６０１は、電子ペンデータ３１０ａ（図５参照）が格納される記憶媒体である。第１記憶媒体６０１は、例えば、ＤＶＤ等の光記録媒体、ＵＳＢメモリ等のメモリ装置、ＳＤカード等のメモリカード、その他の中から適宜選択可能な記憶手段として構成されている。
【００４４】
一方、審査支払機関２００とデータエントリ業者４００との間では、第２の外部記憶媒体６０２（以下、「第２記憶媒体６０２」と称する）が、審査支払機関２００からデータエントリ業者４００に送付される。この第２記憶媒体６０２は、暗号化レセプトデータ２４４ｄａ（図３参照）及び暗号化振り分け識別データ２５６ａａ（図３参照）が格納される記憶媒体である。暗号化レセプトデータ２４４ｄａは、レセプト５００ａに関するファイルデータ（以下、「レセプトデータ」と称する）２４４ｄ（図３参照）が暗号化されたデータである。また、暗号化振り分け識別データ２５６ａａは、実行すべき処理を振り分けるためのデータ（以下、「振り分け識別データ」と称する）２５６ａ（図３参照）が暗号化されたデータである。ここでは、振り分け識別データ２５６ａは、後記する「イメージエントリ方式」フラグ、「ストローク認識不読修正方式」フラグ、及び「手書き認識不読修正方式」フラグの中のいずれかのフラグに設定されるものとして説明する。
【００４５】
また、審査支払機関２００とデータエントリ業者４００との間では、第３の外部記憶媒体６０３（以下、「第３記憶媒体６０３」と称する）が、データエントリ業者４００から審査支払機関２００に送付される。この第３記憶媒体６０３は、暗号化更新レセプトデータ４２５ａａ（図３参照）が格納される記憶媒体である。暗号化更新レセプトデータ４２５ａａは、最終的なデータとして本登録される文字データが含まれているレセプトデータ（以下、「更新レセプトデータ４２５ａ（図３参照）」と称する）が暗号化されたデータである。なお、以下、「最終的なデータとして本登録される文字データ」を、「最終的な文字データ」と称する。この「最終的な文字データ」は、文字データを必要とする機関（ここでは、審査支払機関）のコンピュータの記憶部（ここでは、振り分け装置２４０のレセプトデータ蓄積部２４４Ｄ）に本登録される。
【００４６】
第２記憶媒体６０２及び第３記憶媒体６０３は、第１記憶媒体６０１と同様に、例えば、ＤＶＤ等の光記録媒体、ＵＳＢメモリ等のメモリ装置、ＳＤカード等のメモリカード、その他の中から適宜選択可能な記憶手段として構成されている。
【００４７】
＜各機器の構成＞
以下、図２乃至図６を参照して、用紙印刷指示装置の構成、振り分け装置の構成、電子ペンデータ受信装置の構成、及びデータエントリ用装置の構成を順に説明する。なお、図１に示す機器の中で、振り分け装置２４０とデータエントリ用装置４１０とが、本実施形態の特徴的な装置となっている。
【００４８】
（用紙印刷指示装置の構成）
まず、図２を参照して、用紙印刷指示装置２１０の構成につき説明する。図２は、本実施形態の用紙印刷指示装置の構成を示すブロック図である。
図２に示すように、用紙印刷指示装置２１０は、入力部２１１、表示部２１２、制御部２１３、及び記憶部２１４を有する構成となっている。なお、記憶部２１４には、前記した通り、図示せぬ格納部に、印刷処理用プログラム２１０ａ（図１参照）が格納されている。
【００４９】
制御部２１３は、電子ペン専用紙印刷指示部２１３Ａを備えている。電子ペン専用紙印刷指示部２１３Ａは、プリンタ２２０に電子ペン専用紙５００の印刷を指示する機能手段である。
【００５０】
また、記憶部２１４は、用紙レイアウトデータ蓄積部２１４Ａを備えている。用紙レイアウトデータ蓄積部２１４Ａは、用紙のレイアウトデータ（ここでは、厚生労働省によって規定された診療報酬明細書のレイアウトデータ）が予め格納される記憶手段である。なお、診療報酬明細書のレイアウトについては、例えば、社会保険診療報酬支払基金のホームページに開示されている（具体的には、社会保険診療報酬支払基金のホームページの様式集（ｈｔｔｐ：／／ｗｗｗ．ｓｓｋ．ｏｒ．ｊｐ／ｙｏｓｈｉｋｉ／ｉｎｄｅｘ．ｈｔｍｌ）の「業務統計関係」欄の「診療報酬明細書（医科入院）」、「診療報酬明細書（医科入院外）」、「診療報酬明細書（歯科）」、及び「調剤診療報酬明細書」参照）。
【００５１】
（振り分け装置の構成）
次に、図３及び図４を参照して、振り分け装置２４０の構成につき説明する。図３及び図４は、本実施形態の振り分け装置の構成を示すブロック図である。図３は、振り分け装置２４０の全体の構成を示しており、図４は、振り分け装置２４０の記憶部２４４の構成を示している。
図３に示すように、振り分け装置２４０は、入力部２４１、表示部２４２、制御部２４３、及び記憶部２４４を有する構成となっている。なお、振り分け装置２４０は、文字データに基づいて診療報酬の対価を計算するための構成要素を有しているが、ここでは、その構成要素については説明を省略する。
【００５２】
制御部２４３は、データ取得部２５１、振り分け指示部２５２、手書き認識処理部２５３、ストローク認識処理部２５４、画像取得処理部２５５、振り分け識別データ生成部２５６、暗号化処理部２５７、データ出力部２５８、復号化処理部２５９、及びデータ格納処理部２６０としての各機能を実現する。
【００５３】
データ取得部２５１は、図示せぬＩ／Ｏインタフェースを介して、第１記憶媒体６０１からデータ（ここでは、電子ペンデータ３１０ａ）を取得する機能手段である。
振り分け指示部２５２は、後続の手書き認識処理部２５３とストローク認識処理部２５４と画像取得処理部２５５との中からいずれか好適な処理部を選択し、選択した処理部に処理を振り分けて実行させる機能手段である。以下、好適な処理部を選択し、選択した処理部に処理を振り分けて実行させる処理を、「データ入力方式振り分け処理」と称する。
【００５４】
手書き認識処理部２５３、ストローク認識処理部２５４、及び画像取得処理部２５５は、それぞれ、データエントリ用装置４１０に入力・修正処理を選択的に行わせる際に用いられるデータを生成するための機能手段である。
【００５５】
具体的には、手書き認識処理部２５３は、手書き文字を構成する画素の並びに基づいて、手書き文字を文字認識することによって文字データを取得する機能手段である。以下、画素の並びに基づいて文字認識することを、「手書き認識（又は、パタン認識）」と称し、また、この手書き認識によって取得された文字データを、「手書き認識結果データ」と称する。なお、手書き認識は、認識の対象となる画像データ２３０ａのデータ量が比較的少ないため、短時間で処理を実行できるという長所を有しているが、短所として、画像データ２３０ａの文字が不明瞭な場合に、文字を誤って認識する可能性がある。
【００５６】
また、ストローク認識処理部２５４は、ストロークデータ（すなわち、検出した文字の筆跡（厳密には、文字の座標位置及び各時系列における文字を構成する画素）を表すデータ）に基づいて、手書き文字を文字認識することによって文字データを取得する機能手段である。以下、ストロークデータに基づいて文字認識することを、「ストローク認識」と称し、また、このストローク認識によって取得された文字データを、「ストローク認識結果データ」と称する。なお、ストローク認識は、画像データ２３０ａの文字が不明瞭な場合であっても、文字の筆跡に基づいて文字認識するため、文字を正確に認識できる可能性が高いという長所を有しているが、短所として、認識の対象となるストロークデータ３１０ａのデータ量が比較的多いため、処理に時間を要する可能性がある。
【００５７】
また、画像取得処理部２５５は、用紙（ここでは、レセプト５００ａ）の画像データを取得する機能手段である。
振り分け識別データ生成部２５６は、認識精度データ蓄積部２４４Ｂに格納された過去の認識精度データ２４４ｂ（図４参照）に基づいて、実行すべき処理を振り分けるための振り分け識別データ２５６ａ（図３参照）を生成する機能手段である。
【００５８】
暗号化処理部２５７は、予め定められたアルゴリズムに基づいてデータを暗号化処理する機能手段である。
データ出力部２５８は、データ（ここでは、暗号化レセプトデータ２４４ｄａ及び暗号化振り分け識別データ２５６ａａ）を第２記憶媒体６０２に格納させる機能手段である。
復号化処理部２５９は、予め定められたアルゴリズムに基づいてデータを復号化処理する機能手段である。
データ格納処理部２６０は、データ（ここでは、更新レセプトデータ４２５ａ）を記憶部２４４（ここでは、レセプトデータ蓄積部２４４Ｄ）に格納させる機能手段である。
【００５９】
記憶部２４４は、用紙対応医療機関テーブルデータ蓄積部２４４Ａ、認識精度データ蓄積部２４４Ｂ、電子ペンデータ蓄積部２４４Ｃ、及びレセプトデータ蓄積部２４４Ｄを備えている。なお、記憶部２４４には、前記した通り、図示せぬ格納部に、振り分け処理用プログラム２４０ａ（図１参照）が格納されている。
【００６０】
用紙対応医療機関テーブルデータ蓄積部２４４Ａ（以下、適宜「テーブルデータ蓄積部２４４Ａ」と称する）は、用紙対応医療機関テーブルデータ２４４ａ（図４（ａ）参照）を格納する記憶手段である。「用紙対応医療機関テーブルデータ２４４ａ」とは、図４（ａ）に示すように、用紙固有データ５００Ａａと医療機関番号データ２４４ａｂとが１対１で対応付けられたテーブルデータである。なお、「用紙固有データ５００Ａａ」とは、電子ペン専用紙５００の各ページに予め定められた固有のデータである。この用紙固有データ５００Ａａは、例えば、ユニークな固有データ（具体的には、シリアル番号）として、電子ペン専用紙５００の各ページに印刷されている。また、「医療機関番号データ２４４ａｂ」とは、医療機関（ただし、個々の医者単位の場合もある）毎に割り振られた番号を表すデータである。振り分け装置２４０は、用紙対応医療機関テーブルデータ２４４ａが用紙固有データ５００Ａａと医療機関番号データ２４４ａｂとを１対１で対応付けているので、各レセプト５００ａに対して、どの医療機関（個人の医者の場合を含む）３００から送付されたレセプトであるのかを認識することができる。
【００６１】
認識精度データ蓄積部２４４Ｂは、各医療機関３００の過去の認識精度データ２４４ｂ（図４（ｂ）参照）を格納する記憶手段である。「認識精度データ２４４ｂ」とは、医療機関３００から送付された過去のレセプト５００ａに基づいて、手書き認識結果データ（すなわち、画素の並びに基づいて文字認識することによって取得された文字データ）の正誤率、及び、ストローク認識結果データ（すなわち、ストロークデータに基づいて文字認識することによって取得された文字データ）の正誤率を統計的に割り出したデータである。なお、正誤率は過去の認識率と修正率から割り出した率である。以下、手書き認識結果データの正誤率を表すデータを「手書き認識精度データ２４４ｂａ」と称し、ストローク認識結果データの正誤率を表すデータを「ストローク認識精度データ２４４ｂｂ」と称する。
【００６２】
図４（ｂ）に示す例では、認識精度データ２４４ｂは、医療機関番号データ２４４ａｂと手書き認識精度データ２４４ｂａとストローク認識精度データ２４４ｂｂとが対応付けられている。この認識精度データ２４４ｂは、例えば、以下のようにして、任意のタイミングで、更新される。すなわち、データエントリ業者４００（又は審査支払機関２００）が、いずれかの時点で、各医療機関３００から送付された複数のレセプト５００ａを対象にして手書き認識及びストローク認識を行って、手書き認識結果データ及びストローク認識結果データを取得する。そして、データエントリ業者４００（又は審査支払機関２００）は、それぞれデータの正誤を検証することによって、最新の認識精度データ２４４ｂを算出し、その最新の認識精度データ２４４ｂを認識精度データ蓄積部２４４Ｂに格納させる。これによって、認識精度データ２４４ｂが、更新される。
【００６３】
電子ペンデータ蓄積部２４４Ｃは、第１記憶媒体６０１から取得された各医療機関３００の電子ペンデータ３１０ａ（図４（ｃ）参照）を格納する記憶手段である。この電子ペンデータ蓄積部２４４Ｃは、「課題を解決するための手段」に記載された「ストロークデータ蓄積部」として機能する。
電子ペンデータ蓄積部２４４Ｃは、図４（ｃ）に示すように、電子ペンデータ３１０ａとして、用紙固有データ５００Ａａとストロークデータ３１０ａａとが対応付けられたデータを格納する。
【００６４】
レセプトデータ蓄積部２４４Ｄは、レセプトデータ２４４ｄ（図４（ｄ）参照）を格納する記憶手段である。このレセプトデータ蓄積部２４４Ｄは、「課題を解決するための手段」に記載された「文字・画像データ蓄積部」として機能する。
レセプトデータ蓄積部２４４Ｄは、図４（ｄ）に示すように、レセプトデータ２４４ｄとして、レセプト５００ａの画像データ２３０ａ、手書き認識結果データ２５３ａ、及びストローク認識結果データ２５４ａを格納する。ここでは、ストローク認識結果データ２５４ａは、ストロークデータ３１０ａａをストローク認識することによって取得された文字データに加え、当該文字データに対応するストロークデータ３１０ａａも含んでいるものとして説明する。
【００６５】
なお、図４（ｄ）に示す例では、用紙固有データ５００Ａａと手書き認識処理部２５３によって取得された画像データ２３０ａと手書き認識結果データ２５３ａとが組み合わされたデータを、レセプトデータ２４４ｄＡとし、用紙固有データ５００Ａａとストローク認識処理部２５４によって取得された画像データ２３０ａとストローク認識結果データ２５４ａとが組み合わされたデータを、レセプトデータ２４４ｄＢとし、用紙固有データ５００Ａａと画像取得処理部２５５によって取得された画像データ２３０ａとが組み合わされたデータを、レセプトデータ２４４ｄＣとし、レセプトデータ２４４ｄは、これらレセプトデータ２４４ｄＡ、レセプトデータ２４４ｄＢ、及びレセプトデータ２４４ｄＣを含むデータであるものとして説明する。
【００６６】
（電子ペンデータ受信装置の構成）
次に、図５を参照して、電子ペンデータ受信装置３２０の構成につき説明する。図５は、本実施形態の電子ペンデータ受信装置の構成を示すブロック図である。電子ペンデータ受信装置３２０は、公知の装置であるので、ここでは、概略を説明する。
図５に示すように、電子ペンデータ受信装置３２０は、入力部３１１、表示部３１２、制御部３１３、記憶部３１４、及び電子ペンデータ受信部３１５を有する構成となっている。なお、電子ペンデータ受信部３１５は、電子ペン３１０から電子ペンデータ３１０ａを受信するための構成要素である。
【００６７】
制御部３１３は、電子ペンデータ格納処理部３１３Ａ及びデータ出力部３１３Ｂを備えている。電子ペンデータ格納処理部３１３Ａは、電子ペン３１０から受信した電子ペンデータ３１０ａを電子ペンデータ蓄積部３１４Ａに格納させる機能手段である。データ出力部３１３Ｂは、電子ペンデータ３１０ａを第１記憶媒体６０１に格納させる機能手段である。
【００６８】
また、記憶部３１４は、電子ペンデータ蓄積部３１４Ａを備えている。電子ペンデータ蓄積部３１４Ａは、電子ペンデータ３１０ａが格納される記憶手段である。この電子ペンデータ３１０ａには、前記した通り、用紙固有データ５００Ａａ（すなわち、電子ペン専用紙５００の各ページに予め定められた固有のデータ）及びストロークデータ３１０ａａ（すなわち、記載された文字の座標位置やその筆跡等を表すデータ）が含まれている。
【００６９】
（データエントリ用装置の構成）
次に、図６を参照して、データエントリ用装置４１０の構成につき説明する。図６は、本実施形態のデータエントリ用装置の構成を示すブロック図である。
図６に示すように、データエントリ用装置４１０は、入力部４１１、表示部４１２、制御部４１３、及び記憶部４１４を有する構成となっている。なお、記憶部４１４には、前記した通り、図示せぬ格納部に、エントリ処理用プログラム４１０ａ（図１参照）が格納されている。
【００７０】
制御部４１３は、データ取得部４２１、復号化処理部４２２、データ格納処理部４２３、振り分け処理部４２４、データ入力部４２５、データ読取部４２６、暗号化処理部４２７、及びデータ出力部４２８としての各機能を実現する。
【００７１】
データ取得部４２１は、図示せぬＩ／Ｏインタフェースを介して、第２記憶媒体６０２からデータ（ここでは、暗号化レセプトデータ２４４ｄａ及び暗号化振り分け識別データ２５６ａａ）を取得する機能手段である。
復号化処理部４２２は、予め定められたアルゴリズムに基づいてデータを復号化処理する機能手段である。
データ格納処理部４２３は、データを記憶部４１４に格納させる機能手段である。ここでは、データ格納処理部４２３は、レセプトデータ２４４ｄをレセプトデータ蓄積部４１４Ａに、また、振り分け識別データ２５６ａを振り分け識別データ蓄積部４１４Ｂに格納させる。
【００７２】
振り分け処理部４２４は、実行すべき処理を振り分ける機能手段である。振り分け処理部４２４は、後続のデータ入力部４２５に設けられたイメージエントリ処理部４３１と手書き認識修正部４３２とストローク認識修正部４３３との中からいずれか好適な修正部又は処理部を選択し、選択した修正部又は処理部に処理を振り分けて実行させる。
【００７３】
データ入力部４２５は、文字データの入力・修正処理を行う機能手段である。
データ入力部４２５は、イメージエントリ処理部４３１、手書き認識修正部４３２、及びストローク認識修正部４３３を備えている。「イメージエントリ処理部４３１」は、作業者による入力部４１１からの欠落している文字データ（すなわち、未入力な状態の文字データ）の入力を受け付ける機能手段である。イメージエントリ処理部４３１は、表示部４１２に画像データ２３０ａを表示させる。そして、イメージエントリ処理部４３１は、作業者が入力部４１１を操作してその画像データ２３０ａに含まれている文字に対応する文字データを入力した場合に、その文字データを受け付ける。「手書き認識修正部４３２」は、作業者による入力部４１１からの手書き認識結果データの修正を受け付ける機能手段である。手書き認識修正部４３２は、表示部４１２に手書き認識結果データ２５３ａを表示させる。そして、手書き認識修正部４３２は、作業者が入力部４１１を操作してその手書き認識結果データ２５３ａを正しい文字データに修正した場合に、その文字データを受け付ける。「ストローク認識修正部４３３」は、作業者による入力部４１１からのストローク認識結果データの修正を受け付ける機能手段である。ストローク認識修正部４３３は、表示部４１２にストローク認識結果データ２５４ａを表示させる。そして、ストローク認識修正部４３３は、作業者が入力部４１１を操作してそのストローク認識結果データ２５４ａを正しい文字データに修正した場合に、その文字データを受け付ける。
【００７４】
データ読取部４２６は、レセプトデータ蓄積部４１４Ａからデータ（ここでは、更新レセプトデータ４２５ａ）を読み取る機能手段である。
暗号化処理部４２７は、予め定められたアルゴリズムに基づいてデータを暗号化処理する機能手段である。
データ出力部４２８は、データ（ここでは、暗号化更新レセプトデータ４２５ａａ）を第３記憶媒体６０３に格納させる機能手段である。
【００７５】
また、記憶部４１４は、レセプトデータ蓄積部４１４Ａ及び振り分け識別データ蓄積部４１４Ｂを備えている。「レセプトデータ蓄積部４１４Ａ」は、振り分け装置２４０によって生成されたレセプトデータ２４４ｄ及びデータエントリ用装置４１０によって取得された最終的な文字データを含む更新レセプトデータ４２５ａ（すなわち、データ入力部４２５のイメージエントリ処理部４３１によって受け付けられた入力文字データ、データ入力部４２５の手書き認識修正部４３２によって受け付けられた修正文字データ、及びデータ入力部４２５のストローク認識修正部４３３によって受け付けられた修正文字データ）を格納する記憶手段である。「振り分け識別データ蓄積部４１４Ｂ」は、振り分け装置２４０によって生成された振り分け識別データ２５６ａを格納する記憶手段である。
【００７６】
＜文字データ処理システムの動作＞
以下、図７及び図１を参照して、本実施形態に係る文字データ処理システム１００の動作につき説明する。図７は、システム全体の動作を示すフローチャートである。ここでは、システム全体の動作の概要を説明し、各動作の詳細については、図８乃至図３０を参照して、後記する。
なお、一連の動作において、各装置は、図示せぬタイマによって計測された時間に基づいて動作する。また、各装置の一連の動作は、各装置の格納部に読み出し自在に予め格納されたプログラムによって規定されている。また、装置間の通信は、受信側の装置が通信によって受信されたデータを格納部に一旦格納し、その後に、データを格納部から読み出すことによって、行われる。以下、これらの点については、情報処理では常套手段であるので、その詳細な説明を省略する。
【００７７】
図７に示すように、文字データ処理システム１００は、まず、審査支払機関２００の用紙印刷指示装置２１０が、プリンタ２２０に、用紙（ここでは、電子ペン専用紙５００（図２参照））を印刷させる（Ｓ１０）。審査支払機関２００は、印刷された電子ペン専用紙５００を医療機関３００に送付する。
【００７８】
医療機関３００では、レセプト５００ａの作成時に、医療機関３００の医者が、電子ペン３１０で所定の事項（主に、診療報酬等）を電子ペン専用紙５００に記入する。このとき、電子ペンデータ受信装置３２０が、電子ペン３１０から送信された電子ペンデータ３１０ａ（図５参照）を受信（取得）し（Ｓ１５）、電子ペンデータ３１０ａを第１記憶媒体６０１に格納させる（Ｓ２０）。医療機関３００は、レセプト５００ａ（すなわち、記入済みの電子ペン専用紙５００）及び第１記憶媒体６０１を審査支払機関２００に送付する。
【００７９】
審査支払機関２００では、振り分け装置２４０が、第１記憶媒体６０１から電子ペンデータ３１０ａを読み取る（Ｓ２５）。この後、振り分け装置２４０は、所定の工程を経て、レセプトデータ２４４ｄ（図３及び図４参照）を生成し（Ｓ３０）、さらに、振り分け識別データ２５６ａ（図３参照）を生成して（Ｓ３５）、生成されたレセプトデータ２４４ｄ及び振り分け識別データ２５６ａ（ただし、実際には暗号化された暗号化レセプトデータ２４４ｄａ及び暗号化振り分け識別データ２５６ａａ）を第２記憶媒体６０２に格納させる（Ｓ４０）。審査支払機関２００は、第２記憶媒体６０２をデータエントリ業者４００に送付する。
【００８０】
データエントリ業者４００では、データエントリ用装置４１０が、第２記憶媒体６０２からレセプトデータ２４４ｄ及び振り分け識別データ２５６ａ（ただし、実際には暗号化された暗号化レセプトデータ２４４ｄａ及び暗号化振り分け識別データ２５６ａａ）を読み取る（Ｓ４５）。この後、データエントリ用装置４１０は、所定の工程を経て、更新レセプトデータ４２５ａ（図６参照）を生成し（Ｓ５０）、更新レセプトデータ４２５ａ（ただし、実際には暗号化された暗号化更新レセプトデータ４２５ａａ）を第３記憶媒体６０３に格納させる（Ｓ５５）。データエントリ業者４００は、第３記憶媒体６０３を審査支払機関２００に送付する。
【００８１】
審査支払機関２００では、振り分け装置２４０が、第３記憶媒体６０３から更新レセプトデータ４２５ａを読み取る（Ｓ６０）。この後、振り分け装置２４０は、所定の工程を経て、更新レセプトデータ４２５ａに含まれている文字データを最終的なデータとして記憶部２４４（具体的には、レセプトデータ蓄積部２４４Ｄ）に本登録する（Ｓ６５）。
これにより、文字データ処理システム１００は、図７に示す処理を終了する。
【００８２】
＜各機器の動作＞
以下、図８乃至図３０を参照して、図７に示すＳ１０からＳ６５までの動作の詳細を説明する。なお、一連の動作の中で、振り分け装置２４０とデータエントリ用装置４１０の動作が、本実施形態の特徴的な動作となっている。
【００８３】
（用紙印刷指示装置の用紙印刷時の動作）
まず、図８及び図１７を参照して、図７に示すＳ１０（「用紙印刷」）の動作につき説明する。図８は、用紙印刷指示装置の動作を示すフローチャートである。また、図１７は、用紙印刷指示装置の表示画面の一例を示す図である。
【００８４】
図８に示すように、審査支払機関２００では、図７に示すＳ１０（「用紙印刷」）の動作時に、審査支払機関２００の作業者が、用紙印刷指示装置２１０の電源を投入する。これにより、用紙印刷指示装置２１０は、動作を開始する。
【００８５】
用紙印刷指示装置２１０は、まず、初期画面として、用紙印刷メニュー画面ＳＣ１１（図１７参照）を表示する（Ｓ１０５）。用紙印刷メニュー画面ＳＣ１１には、「点数表」キーＳＣ１１ａ及び「印刷」キーＳＣ１１ｂが表示されている。点数表キーＳＣ１１ａは、用紙のレイアウトデータ（ここでは、厚生労働省によって規定された診療報酬明細書のレイアウトデータ）を指定するためのキーである。また、印刷キーＳＣ１１ｂは、プリンタ２２０に印刷を実行させるためのキーである。
【００８６】
作業者は、用紙印刷指示装置２１０の入力部２１１（図２参照）を操作して、所望の用紙に該当する点数表キーＳＣ１１ａを入力し、さらに、印刷キーＳＣ１１ｂを入力する。すると、用紙印刷指示装置２１０は、図示せぬ検出手段によって、キーＳＣ１１ａ，１１ｂの入力を検出する（Ｓ１１０）。このとき、用紙印刷指示装置２１０は、電子ペン専用紙印刷指示部２１３Ａが、入力された点数表キーＳＣ１１ａに該当する電子ペン専用紙５００のレイアウトデータ２１４ａ（図２参照）を用紙レイアウトデータ蓄積部２１４Ａ（図２参照）から読み取る（Ｓ１１５）。そして、電子ペン専用紙印刷指示部２１３Ａは、レイアウトデータ２１４ａに基づいて、印刷指示２１３ａ（図２参照）を生成して、図示せぬＩ／Ｏインタフェースを介して、プリンタ２２０に送信する。これにより、用紙印刷指示装置２１０は、プリンタ２２０に、所定の様式に規定された電子ペン専用紙５００を印刷させる（Ｓ１２０）。
そして、用紙印刷指示装置２１０は、図８に示す処理を終了する。なお、審査支払機関２００は、電子ペン専用紙５００を医療機関３００に送付する。
【００８７】
（電子ペンデータ受信装置の電子ペンデータ取得・電子ペンデータの第１記憶媒体への格納時の動作）
次に、図９、及び、図１８乃至図２０を参照して、図７に示すＳ１５（「電子ペンデータ取得」）からＳ２０（「電子ペンデータの第１記憶媒体への格納」）までの動作につき説明する。図９は、電子ペンデータ受信装置の動作を示すフローチャートである。また、図１８乃至図２０は、それぞれ、電子ペンデータ受信装置の表示画面の一例を示す図である。
【００８８】
図９に示すように、医療機関３００では、図７に示すＳ１５（「電子ペンデータ取得」）の動作時に、医療機関３００の作業者（主に、医者）が、電子ペンデータ受信装置３２０の電源を投入する。これにより、電子ペンデータ受信装置３２０は、動作を開始する。
【００８９】
電子ペンデータ受信装置３２０は、まず、初期画面として、メインメニュー画面ＳＣ２１（図１８参照）を表示する（Ｓ２０５）。メインメニュー画面ＳＣ２１には、「電子ペンデータ受信」キーＳＣ２１ａ及び「外部記憶媒体データ出力」キーＳＣ２１ｂが表示されている。電子ペンデータ受信キーＳＣ２１ａは、電子ペンデータ受信部３１５（図５参照）を作動させて電子ペン３１０から電子ペンデータ３１０ａを受信するモード（以下、「受信モード」と称する）を選択するためのキーである。また、外部記憶媒体データ出力キーＳＣ２１ｂは、電子ペンデータ３１０ａを第１記憶媒体６０１に格納させるモード（以下、「格納モード」と称する）を選択するためのキーである。
【００９０】
医者は、電子ペンデータ受信装置３２０の入力部３１１（図５参照）を操作して、メインメニュー画面ＳＣ２１に表示されている電子ペンデータ受信キーＳＣ２１ａを入力する。すると、電子ペンデータ受信装置３２０は、図示せぬ検出手段によって、キーＳＣ２１ａの入力を検出し（Ｓ２１０）、電子ペンデータ受信メニュー画面ＳＣ２２（図１９参照）を表示する（Ｓ２１５）。この電子ペンデータ受信メニュー画面ＳＣ２２には、「データ受信」キーＳＣ２２ａが表示されている。データ受信キーＳＣ２２ａは、受信モードを実行させるためのキーである。
【００９１】
医者は、データ受信キーＳＣ２２ａを入力する。すると、電子ペンデータ受信装置３２０は、キーＳＣ２２ａの入力を検出する（Ｓ２２０）。このとき、電子ペンデータ受信装置３２０は、電子ペンデータ受信部３１５が、電子ペンデータ３１０ａの受信（取得）を開始し（Ｓ２２５）、電子ペンデータ格納処理部３１３Ａが、受信された電子ペンデータ３１０ａを電子ペンデータ蓄積部３１４Ａに格納させる（Ｓ２３０）。
【００９２】
医者は、レセプト５００ａの作成が終了すると、入力部３１１（図５参照）を操作して、電子ペンデータ受信装置３２０に、メインメニュー画面ＳＣ２１の表示を指示する。この指示は、例えば、電子ペンデータ受信メニュー画面ＳＣ２２に表示された「メインメニューへ戻る」キー（以下、「復帰キー」と称する）を入力することにより、行われる。電子ペンデータ受信装置３２０は、この指示に応答して、メインメニュー画面ＳＣ２１を表示する（Ｓ２３５）。
【００９３】
医者は、入力部３１１（図５参照）を操作して、メインメニュー画面ＳＣ２１に表示されている外部記憶媒体データ出力キーＳＣ２１ｂを入力する。すると、電子ペンデータ受信装置３２０は、キーＳＣ２１ｂの入力を検出し（Ｓ２４０）、外部記憶媒体データ出力メニュー画面ＳＣ２３（図２０参照）を表示する（Ｓ２４５）。この外部記憶媒体データ出力メニュー画面ＳＣ２３には、「データ出力」キーＳＣ２３ａが表示されている。データ出力キーＳＣ２３ａは、格納モードを実行させるためのキーである。
【００９４】
医者は、データ出力キーＳＣ２３ａを入力する。すると、電子ペンデータ受信装置３２０は、キーＳＣ２３ａの入力を検出する（Ｓ２５０）。このとき、電子ペンデータ受信装置３２０は、データ出力部３１３Ｂが、電子ペンデータ蓄積部３１４Ａから電子ペンデータ３１０ａが読み取り（Ｓ２５５）、電子ペンデータ３１０ａを第１記憶媒体６０１に格納させる（Ｓ２６０）。
そして、電子ペンデータ受信装置３２０は、図９に示す処理を終了する。なお、医療機関３００は、レセプト５００ａ（すなわち、所定の事項が記入された電子ペン専用紙５００）及び第１記憶媒体６０１を、審査支払機関２００に送付する。
【００９５】
（振り分け装置の第１記憶媒体からの電子ペンデータ読取・レセプトデータ生成時の動作）
次に、図１０Ａ、図１０Ｂ、及び、図２１乃至図２３を参照して、図７に示すＳ２５（「第１記憶媒体からの電子ペンデータ読取」）からＳ３０（「レセプトデータ生成」）までの動作につき説明する。図１０Ａ及び図１０Ｂは、それぞれ、振り分け装置の動作を示すフローチャートである。また、図２１乃至図２３は、それぞれ、振り分け装置の表示画面の一例を示す図である。
【００９６】
図１０Ａ及び図１０Ｂに示すように、審査支払機関２００では、医療機関３００からレセプト５００ａ及び第１記憶媒体６０１が送付されると、審査支払機関２００の作業者が、振り分け装置２４０の電源を投入する。これにより、振り分け装置２４０は、図１０Ａ及び図１０Ｂに示す動作を開始する。
【００９７】
振り分け装置２４０は、まず、初期画面として、メインメニュー画面ＳＣ３１（図２１参照）を表示する（Ｓ３０５）。メインメニュー画面ＳＣ３１には、「外部記憶媒体データ読取（医療機関から）」キーＳＣ３１ａ、「データ入力方式振り分け処理」キーＳＣ３１ｂ、「振り分け識別データ生成」キーＳＣ３１ｃ、「外部記憶媒体データ出力」キーＳＣ３１ｄ、及び「外部記憶媒体データ読取（エントリ業者から）」キーＳＣ３１ｅが表示されている。
【００９８】
「外部記憶媒体データ読取（医療機関から）」キーＳＣ３１ａは、外部記憶媒体（ここでは、第１記憶媒体６０１）からデータ（ここでは、電子ペンデータ３１０ａ）を取得するためのキーである。また、「データ入力方式振り分け処理」キーＳＣ３１ｂは、データエントリ用装置４１０に入力・修正処理を実行させる際に用いられるデータ（具体的には、画像データ２３０ａ、手書き認識結果データ２５３ａ、及びストローク認識結果データ２５４ａ）を生成するためのキーである。また、「振り分け識別データ生成」キーＳＣ３１ｃは、振り分け装置２４０に振り分け識別データ２５６ａを生成させるためのキーである。また、「外部記憶媒体データ出力」キーＳＣ３１ｄは、データ（ここでは、暗号化レセプトデータ２４４ｄａ及び暗号化振り分け識別データ２５６ａａ）を外部記憶媒体（ここでは、第２記憶媒体６０２）に格納させるためのキーである。また、「外部記憶媒体データ読取（エントリ業者から）」キーＳＣ３１ｅは、第３記憶媒体６０３からデータ（ここでは、暗号化更新レセプトデータ４２５ａａ）を取得するためのキーである。
【００９９】
作業者は、振り分け装置２４０の入力部２４１（図３参照）を操作して、「外部記憶媒体データ読取（医療機関から）」キーＳＣ３１ａを入力する。すると、振り分け装置２４０は、図示せぬ検出手段によって、キーＳＣ３１ａの入力を検出し（Ｓ３１０）、外部記憶媒体データ読取メニュー画面ＳＣ３２（図２２参照）を表示する（Ｓ３１５）。この外部記憶媒体データ読取メニュー画面ＳＣ３２には、「データ読取」キーＳＣ３２ａが表示されている。データ読取キーＳＣ３２ａは、外部記憶媒体（ここでは、第１記憶媒体６０１）からのデータ（ここでは、電子ペンデータ３１０ａ）の読み取りを実行させるためのキーである。
【０１００】
作業者は、データ読取キーＳＣ３２ａを入力する。すると、振り分け装置２４０は、キーＳＣ３２ａの入力を検出する（Ｓ３２０）。このとき、振り分け装置２４０は、データ取得部２５１が、図示せぬＩ／Ｏインタフェースを介して、第１記憶媒体６０１から電子ペンデータ３１０ａを読み取り（Ｓ３２５）、電子ペンデータ３１０ａを電子ペンデータ蓄積部２４４Ｃに格納させる（Ｓ３３０）。
【０１０１】
振り分け装置２４０は、電子ペンデータ３１０ａの電子ペンデータ蓄積部２４４Ｃへの格納が終了すると、メインメニュー画面ＳＣ３１（図２１参照）を表示する（Ｓ３３５）。
【０１０２】
作業者は、データ入力方式振り分け処理キーＳＣ３１ｂを入力する。すると、振り分け装置２４０は、キーＳＣ３１ｂの入力を検出し（Ｓ３４０）、データ入力方式振り分け処理メニュー画面ＳＣ３３（図２３参照）を表示する（Ｓ３４５）。このデータ入力方式振り分け処理メニュー画面ＳＣ３３には、「処理開始」キーＳＣ３３ａが表示されている。処理開始キーＳＣ３３ａは、データ入力方式振り分け処理（すなわち、好適な処理部を選択し、選択した処理部に処理を振り分けて実行させる処理）を実行させるためのキーである。
【０１０３】
作業者は、処理開始キーＳＣ３３ａを入力する。すると、振り分け装置２４０は、キーＳＣ３３ａの入力を検出する（Ｓ３５０）。このとき、振り分け装置２４０は、振り分け指示部２５２が、電子ペンデータ蓄積部２４４Ｃ（図４（ｃ）参照）から電子ペンデータ３１０ａを読み取る（Ｓ３５５）。そして、振り分け指示部２５２は、用紙対応医療機関テーブルデータ蓄積部２４４Ａ（図４（ａ）参照）に格納された用紙対応医療機関テーブルデータ２４４ａを参照して、電子ペンデータ３１０ａに含まれている用紙固有データ５００Ａａに対応する医療機関番号データ２４４ａｂを検索し（Ｓ３６０）、さらに、認識精度データ蓄積部２４４Ｂ（図４（ｂ）参照）に格納された認識精度データ２４４ｂを参照して、Ｓ３６０で検索された医療機関番号データ２４４ａｂに対応する認識精度データ２４４ｂ（ここでは、手書き認識精度データ２４４ｂａ及びストローク認識精度データ２４４ｂｂの双方）を検索する（Ｓ３６５）。
【０１０４】
Ｓ３６５の後、振り分け指示部２５２は、Ｓ３６５で検索された認識精度データ２４４ｂと予め定められた閾値とを比較し（Ｓ３７０）、認識精度データ２４４ｂが閾値より大きいか否かを判定する（Ｓ３７５）。このＳ３７５の判定では、手書き認識精度データ２４４ｂａ及びストローク認識精度データ２４４ｂｂの双方が、それぞれに対して予め定められた閾値より大きいか否かを判定するものとして説明する。しかしながら、運用によっては、いずれか一方の認識精度データ２４４ｂのみで判定することも可能である。
【０１０５】
Ｓ３７５の判定で、認識精度データ２４４ｂが閾値より大きいと判定された場合（“Ｙｅｓ”の場合）に、振り分け指示部２５２は、Ｓ３６５で検索されたストローク認識精度データ２４４ｂｂ（図４（ｂ）参照）と手書き認識精度データ２４４ｂａ（図４（ｂ）参照）とを比較する（Ｓ３８０）。
【０１０６】
一方、Ｓ３７５の判定で、認識精度データ２４４ｂが閾値以下と判定された場合（“Ｎｏ”の場合）に、振り分け指示部２５２は、処理を画像取得処理部２５５（図３参照）に振り分けることを決定する。そして、振り分け指示部２５２は、処理指示２５２ａ（図３参照）を生成して、画像取得処理部２５５に出力し、画像取得処理部２５５を起動させる（Ｓ３８５）。この処理指示２５２ａには、個々のレセプト５００ａを指定するための指定データ（例えば、用紙固有データ５００Ａａ）を含んでいる。後続の構成要素（ここでは、手書き認識処理部２５３、ストローク認識処理部２５４、及び画像取得処理部２５５）は、この指定データに指定されたレセプト５００ａに対して、所定の処理を行う。
【０１０７】
画像取得処理部２５５は、処理指示２５２ａに応答して、画像取得処理を実行する（Ｓ３９０）。具体的には、画像取得処理部２５５は、スキャナ２３０を作動させて、処理指示２５２ａに含まれている指定データ（例えば、用紙固有データ５００Ａａ）によって指定されたレセプト５００ａ毎に、レセプト５００ａの画像データ２３０ａを取得する（Ｓ３９０）。なお、ここでは、スキャナ２３０は、連続読み取り機能を有する装置であるものとする。そして、画像取得処理部２５５は、指定データ（例えば、用紙固有データ５００Ａａ）とレセプト５００ａの画像データ２３０ａとを組み合わせて、レセプトデータ２４４ｄＣ（図４（ｄ）参照）として、レセプトデータ蓄積部２４４Ｄに格納させる（Ｓ３９５）。これにより、振り分け装置２４０は、図１０Ａ及び図１０Ｂに示す処理を終了する。
【０１０８】
Ｓ３８０の後、振り分け指示部２５２は、ストローク認識精度データ２４４ｂｂ（図４（ｂ）参照）が手書き認識精度データ２４４ｂａ（図４（ｂ）参照）より大きいか否かを判定する（Ｓ４００）。
【０１０９】
Ｓ４００の判定で、ストローク認識精度データ２４４ｂｂが手書き認識精度データ２４４ｂａより大きいと判定された場合（“Ｙｅｓ”の場合）に、振り分け指示部２５２は、処理をストローク認識処理部２５４（図３参照）に振り分けることを決定する。そして、振り分け指示部２５２は、処理指示２５２ａ（図３参照）を生成して、ストローク認識処理部２５４に出力し、ストローク認識処理部２５４を起動させる（Ｓ４０５）。また、このとき、振り分け指示部２５２は、電子ペンデータ蓄積部２４４Ｃ（図４（ｃ）参照）から読み出された電子ペンデータ３１０ａをストローク認識処理部２５４に出力する。
【０１１０】
ストローク認識処理部２５４は、処理指示２５２ａに応答して、ストローク認識処理を実行する（Ｓ４１０）。具体的には、ストローク認識処理部２５４は、スキャナ２３０を作動させて、処理指示２５２ａに含まれている指定データ（例えば、用紙固有データ５００Ａａ）によって指定されたレセプト５００ａ毎に、レセプト５００ａの画像データ２３０ａを取得する。また、ストローク認識処理部２５４は、指定データによって指定されたレセプト５００ａ毎に、電子ペンデータ３１０ａからストロークデータ３１０ａａを抽出し、ストロークデータ３１０ａａに基づいて文字認識して、各レセプト５００ａに記載された文字（主に、診療報酬等）に相当する文字データを生成する。これにより、ストローク認識処理部２５４は、ストロークデータ３１０ａａに相当する文字データを取得する。このとき、ストローク認識処理部２５４は、文字認識できなかった文字データや誤って認識された可能性の高い文字データがある場合に、これらの文字が不読部分の文字であることを表すフラグ（以下、「不読フラグ」と称する）をこれらの文字に対応付けて、文字データを生成する。
【０１１１】
なお、「不読」とは、文字認識が適正にできないことを意味している。「不読」は、例えば、文字辞書（図示せず）の中から候補となる文字を検索できなかったり、候補となる文字群の中から一意の文字を特定できなかったりすることにより、生じる。「不読」は、例えば、認識対象のデータの特徴量が不足している場合や、認識対象のデータに異常がある場合に、生じ易い。不読フラグが対応付けられた文字は、表示部（具体的には、振り分け装置２４０の表示部２４２やデータエントリ用装置４１０の表示部４１２）に表示された場合に、他の文字から区別された状態で表示される。例えば、文字認識されていない文字は、他の文字と異なる色に着色されたスペースとして表示される。
【０１１２】
ストローク認識処理部２５４は、ストロークデータ３１０ａａに相当する文字データを生成すると、ストロークデータ３１０ａａと、このストロークデータ３１０ａａに相当する文字データとを組み合わせることにより、ストローク認識結果データ２５４ａを取得する。
【０１１３】
この後、ストローク認識処理部２５４は、指定データ（例えば、用紙固有データ５００Ａａ）とレセプト５００ａの画像データ２３０ａとストローク認識結果データ２５４ａとを組み合わせて、レセプトデータ２４４ｄＢ（図４（ｄ）参照）として、レセプトデータ蓄積部２４４Ｄに格納させる（Ｓ４１５）。これにより、振り分け装置２４０は、図１０Ａ及び図１０Ｂに示す処理を終了する。
【０１１４】
一方、Ｓ４００の判定で、ストローク認識精度データ２４４ｂｂが手書き認識精度データ２４４ｂａ以下と判定された場合（“Ｎｏ”の場合）に、振り分け装置２４０は、振り分け指示部２５２が、処理を手書き認識処理部２５３（図３参照）に振り分けることを決定する。そして、振り分け指示部２５２は、処理指示２５２ａ（図３参照）を生成して、手書き認識処理部２５３に出力し、手書き認識処理部２５３を起動させる（Ｓ４２０）。
【０１１５】
手書き認識処理部２５３は、処理指示２５２ａに応答して、手書き認識処理を実行する（Ｓ４２５）。具体的には、手書き認識処理部２５３は、スキャナ２３０を作動させて、処理指示２５２ａに含まれている指定データ（例えば、用紙固有データ５００Ａａ）によって指定されたレセプト５００ａ毎に、レセプト５００ａの画像データ２３０ａを取得する。また、手書き認識処理部２５３は、指定データによって指定されたレセプト５００ａ毎に、画像データ２３０ａに基づいて文字認識して、各レセプト５００ａに記載された文字（主に、診療報酬等）に相当する文字データを生成する。このとき、手書き認識処理部２５３は、文字認識できなかった文字データや誤って認識された可能性の高い文字データがある場合に、不読フラグ（すなわち、これらの文字が不読部分の文字であることを表すフラグ）をこれらの文字に対応付けて、文字データを生成する。これにより、手書き認識処理部２５３は、手書き認識結果データ２５３ａを取得する。
【０１１６】
この後、手書き認識処理部２５３は、指定データ（例えば、用紙固有データ５００Ａａ）とレセプト５００ａの画像データ２３０ａと手書き認識結果データ２５３ａとを組み合わせて、レセプトデータ２４４ｄＡ（図４（ｄ）参照）として、レセプトデータ蓄積部２４４Ｄに格納させる（Ｓ４３０）。これにより、振り分け装置２４０は、図１０Ａ及び図１０Ｂに示す処理を終了する。
なお、前記したＳ３９５、Ｓ４１５、及びＳ４３０の処理が、図７に示すＳ３０（「レセプトデータ生成」）の動作に相当している。
【０１１７】
（振り分け装置の振り分け識別データ生成時の動作）
次に、図１１、図２１、及び図２４を参照して、図７に示すＳ３５（「振り分け識別データ生成」）の動作につき説明する。図１１は、振り分け装置の動作を示すフローチャートである。また、図２４は、振り分け装置の表示画面の一例を示す図である。
【０１１８】
図１１に示すように、審査支払機関２００では、図１０Ａ及び図１０Ｂに示す処理が終了すると、例えば、審査支払機関２００の作業者が、データ入力方式振り分け処理メニュー画面ＳＣ３３（図２３参照）に表示された復帰キー（すなわち、「メインメニューへ戻る」キー）を入力する。これにより、振り分け装置２４０は、図１１に示す動作を開始する。
【０１１９】
振り分け装置２４０は、まず、初期画面として、メインメニュー画面ＳＣ３１（図２１参照）を表示する（Ｓ５０５）。
【０１２０】
作業者は、振り分け装置２４０の入力部２４１（図３参照）を操作して、「振り分け識別データ生成」キーＳＣ３１ｃを入力する。すると、振り分け装置２４０は、図示せぬ検出手段によって、キーＳＣ３１ｃの入力を検出し（Ｓ５１０）、振り分け識別データ生成メニュー画面ＳＣ３４（図２４参照）を表示する（Ｓ５１５）。この振り分け識別データ生成メニュー画面ＳＣ３４には、「生成」キーＳＣ３４ａが表示されている。生成キーＳＣ３４ａは、振り分け識別データ２５６ａを生成させるためのキーである。
【０１２１】
作業者は、生成キーＳＣ３４ａを入力する。すると、振り分け装置２４０は、キーＳＣ３４ａの入力を検出する（Ｓ５２０）。このとき、振り分け装置２４０は、振り分け識別データ生成部２５６が、電子ペンデータ蓄積部２４４Ｃ（図４（ｃ）参照）から電子ペンデータ３１０ａを読み取る（Ｓ５２５）。そして、振り分け識別データ生成部２５６は、用紙対応医療機関テーブルデータ蓄積部２４４Ａ（図４（ａ）参照）に格納された用紙対応医療機関テーブルデータ２４４ａを参照して、電子ペンデータ３１０ａに含まれている用紙固有データ５００Ａａに対応する医療機関番号データ２４４ａｂを検索し（Ｓ５３０）、さらに、認識精度データ蓄積部２４４Ｂ（図４（ｂ）参照）に格納された認識精度データ２４４ｂを参照して、Ｓ５３０で検索された医療機関番号データ２４４ａｂに対応する認識精度データ２４４ｂ（ここでは、手書き認識精度データ２４４ｂａ及びストローク認識精度データ２４４ｂｂの双方）を検索する（Ｓ５３５）。
【０１２２】
Ｓ５３５の後、振り分け識別データ生成部２５６は、Ｓ５３５で検索された認識精度データ２４４ｂと予め定められた閾値とを比較し（Ｓ５４０）、認識精度データ２４４ｂが閾値より大きいか否かを判定する（Ｓ５４５）。
【０１２３】
Ｓ５４５の判定で、認識精度データ２４４ｂが閾値より大きいと判定された場合（“Ｙｅｓ”の場合）に、振り分け識別データ生成部２５６は、Ｓ５３５で検索されたストローク認識精度データ２４４ｂｂ（図４（ｂ）参照）と手書き認識精度データ２４４ｂａ（図４（ｂ）参照）とを比較する（Ｓ５５０）。
【０１２４】
一方、Ｓ５４５の判定で、認識精度データ２４４ｂが閾値以下と判定された場合（“Ｎｏ”の場合）に、振り分け識別データ生成部２５６は、「イメージエントリ方式」フラグを振り分け識別データ２５６ａとして認識精度データ蓄積部２４４Ｂに格納させる（Ｓ５５５）。これにより、振り分け装置２４０は、図１１に示す処理を終了する。
【０１２５】
なお、「イメージエントリ方式」フラグとは、データエントリ用装置４１０に、レセプト５００ａの画像データ２３０ａに基づく文字データの入力処理を実行させるための識別データである。以下、レセプト５００ａの画像データ２３０ａに基づく文字データの入力処理を、「イメージエントリ方式の入力処理」と称する。
【０１２６】
Ｓ５５０の後、振り分け識別データ生成部２５６は、ストローク認識精度データ２４４ｂｂ（図４（ｂ）参照）が手書き認識精度データ２４４ｂａ（図４（ｂ）参照）より大きいか否かを判定する（Ｓ５６０）。
【０１２７】
Ｓ５６０の判定で、ストローク認識精度データ２４４ｂｂが手書き認識精度データ２４４ｂａより大きいと判定された場合（“Ｙｅｓ”の場合）に、振り分け識別データ生成部２５６は、「ストローク認識不読修正方式」フラグを振り分け識別データ２５６ａとして認識精度データ蓄積部２４４Ｂに格納させる（Ｓ５６５）。これにより、振り分け装置２４０は、図１１に示す処理を終了する。
【０１２８】
なお、「ストローク認識不読修正方式」フラグとは、データエントリ用装置４１０に、ストローク認識結果データ２５４ａの不読部分に対する修正処理を実行させるための識別データである。以下、ストローク認識結果データ２５４ａの不読部分に対する修正処理を、「ストローク認識不読修正方式の修正処理」と称する。ストローク認識不読修正方式の修正処理は、不読部分に限らず、他の部分の文字データの修正処理及び未入力な状態の文字データの入力処理を行うこともできる。
【０１２９】
一方、Ｓ５６０の判定で、ストローク認識精度データ２４４ｂｂが手書き認識精度データ２４４ｂａ以下と判定された場合（“Ｎｏ”の場合）に、振り分け識別データ生成部２５６は、「手書き認識不読修正方式」フラグを振り分け識別データ２５６ａとして認識精度データ蓄積部２４４Ｂに格納させる（Ｓ５７０）。これにより、振り分け装置２４０は、図１１に示す処理を終了する。
【０１３０】
なお、「手書き認識不読修正方式」フラグとは、データエントリ用装置４１０に、手書き認識結果データ２５３ａの不読部分に対する修正処理を実行させるための識別データである。以下、手書き認識結果データ２５３ａの不読部分に対する修正処理を、「手書き認識不読修正方式の修正処理」と称する。手書き認識不読修正方式の修正処理は、不読部分に限らず、他の部分の文字データの修正処理及び未入力な状態の文字データの入力処理を行うこともできる。
【０１３１】
（振り分け装置のレセプトデータ及び振り分け識別データの第２記憶媒体への格納時の動作）
次に、図１２、図２１、及び図２５を参照して、図７に示すＳ４０（「レセプトデータ及び振り分け識別データの第２記憶媒体への格納」）の動作につき説明する。図１２は、振り分け装置の動作を示すフローチャートである。また、図２５は、振り分け装置の表示画面の一例を示す図である。
【０１３２】
図１２に示すように、審査支払機関２００では、図１１に示す処理が終了すると、例えば、審査支払機関２００の作業者が、振り分け識別データ生成メニュー画面ＳＣ３４（図２４参照）に表示された復帰キーを入力する。これにより、振り分け装置２４０は、図１２に示す動作を開始する。
【０１３３】
振り分け装置２４０は、まず、初期画面として、メインメニュー画面ＳＣ３１（図２１参照）を表示する（Ｓ６０５）。
【０１３４】
作業者は、振り分け装置２４０の入力部２４１（図３参照）を操作して、「外部記憶媒体データ出力」キーＳＣ３１ｄを入力する。すると、振り分け装置２４０は、図示せぬ検出手段によって、キーＳＣ３１ｄの入力を検出し（Ｓ６１０）、外部記憶媒体データ出力メニュー画面ＳＣ３５（図２５参照）を表示する（Ｓ６１５）。この外部記憶媒体データ出力メニュー画面ＳＣ３５には、「データ出力」キーＳＣ３５ａが表示されている。データ出力キーＳＣ３５ａは、データ（ここでは、暗号化レセプトデータ２４４ｄａ及び暗号化振り分け識別データ２５６ａａ）を外部記憶媒体（ここでは、第２記憶媒体６０２）に格納させるためのキーである。
【０１３５】
作業者は、データ出力キーＳＣ３５ａを入力する。すると、振り分け装置２４０は、キーＳＣ３５ａの入力を検出する（Ｓ６２０）。このとき、振り分け装置２４０は、振り分け識別データ生成部２５６が、レセプトデータ蓄積部２４４Ｄ（図４（ｄ）参照）からレセプトデータ２４４ｄを読み取るとともに（Ｓ６２５）、認識精度データ蓄積部２４４Ｂ（図４（ｂ）参照）から振り分け識別データ２５６ａを読み取り（Ｓ６３０）、レセプトデータ２４４ｄ及び振り分け識別データ２５６ａを暗号化処理部２５７に出力する。
【０１３６】
暗号化処理部２５７は、レセプトデータ２４４ｄ及び振り分け識別データ２５６ａを暗号化して（Ｓ６３５）、暗号化レセプトデータ２４４ｄａ及び暗号化振り分け識別データ２５６ａａを生成し、データ出力部２５８に出力する。すると、データ出力部２５８は、暗号化レセプトデータ２４４ｄａ及び暗号化振り分け識別データ２５６ａａを外部記憶媒体（ここでは、第２記憶媒体６０２）に格納させる（Ｓ６４０）。
これにより、振り分け装置２４０は、図１２に示す処理を終了する。なお、審査支払機関２００は、第２記憶媒体６０２をデータエントリ業者４００に送付する。
【０１３７】
（データエントリ用装置の第２記憶媒体からのレセプトデータ及び振り分け識別データ読取時の動作）
次に、図１３、図２６、及び図２７を参照して、図７に示すＳ４５（「第２記憶媒体からのレセプトデータ及び振り分け識別データ読取」）の動作につき説明する。図１３は、データエントリ用装置の動作を示すフローチャートである。また、図２６及び図２７は、それぞれ、データエントリ用装置の表示画面の一例を示す図である。
【０１３８】
図１３に示すように、データエントリ業者４００では、審査支払機関２００から第２記憶媒体６０２が送付されると、データエントリ業者４００の作業者が、データエントリ用装置４１０の電源を投入する。これにより、データエントリ用装置４１０は、図１３に示す動作を開始する。
【０１３９】
データエントリ用装置４１０は、まず、初期画面として、メインメニュー画面ＳＣ４１（図２６参照）を表示する（Ｓ７０５）。メインメニュー画面ＳＣ４１には、「外部記憶媒体データ読取」キーＳＣ４１ａ、「データ入力」キーＳＣ４１ｂ、及び「外部記憶媒体データ出力」キーＳＣ４１ｃが表示されている。
【０１４０】
「外部記憶媒体データ読取」キーＳＣ４１ａは、外部記憶媒体（ここでは、第２記憶媒体６０２）からデータ（ここでは、暗号化レセプトデータ２４４ｄａ及び暗号化振り分け識別データ２５６ａａ）を取得するためのキーである。「データ入力」キーＳＣ４１ｂは、入力・修正処理を行うためのキーである。また、「外部記憶媒体データ出力」キーＳＣ４１ｃは、データ（ここでは、暗号化更新レセプトデータ４２５ａａ）を外部記憶媒体（ここでは、第３記憶媒体６０３）に格納させるためのキーである。
【０１４１】
作業者は、データエントリ用装置４１０の入力部４１１（図６参照）を操作して、「外部記憶媒体データ読取」キーＳＣ４１ａを入力する。すると、データエントリ用装置４１０は、図示せぬ検出手段によって、キーＳＣ４１ａの入力を検出し（Ｓ７１０）、外部記憶媒体データ読取メニュー画面ＳＣ４２（図２７参照）を表示する（Ｓ７１５）。この外部記憶媒体データ読取メニュー画面ＳＣ４２には、「データ読取」キーＳＣ４２ａが表示されている。
【０１４２】
作業者は、データ読取キーＳＣ４２ａを入力する。すると、データエントリ用装置４１０は、キーＳＣ４２ａの入力を検出する（Ｓ７２０）。このとき、データエントリ用装置４１０は、データ取得部４２１（図６参照）が、図示せぬＩ／Ｏインタフェースを介して、第２記憶媒体６０２から暗号化レセプトデータ２４４ｄａ及び暗号化振り分け識別データ２５６ａａを読み取り（Ｓ７２５）、復号化処理部４２２に出力する。
【０１４３】
復号化処理部４２２は、暗号化レセプトデータ２４４ｄａ及び暗号化振り分け識別データ２５６ａａを復号化して（Ｓ７３０）、レセプトデータ２４４ｄ及び振り分け識別データ２５６ａを生成し、用紙固有データ５００Ａａ（図４（ｄ）参照）順に、レセプトデータ２４４ｄをレセプトデータ蓄積部４１４Ａ（図６参照）に格納させるとともに（Ｓ７３５）、振り分け識別データ２５６ａを振り分け識別データ蓄積部４１４Ｂに格納させる（Ｓ７４０）。
これにより、データエントリ用装置４１０は、図１３に示す処理を終了する。
【０１４４】
なお、ここでは、データエントリ用装置４１０は、用紙固有データ５００Ａａ（図４（ｄ）参照）順に、レセプトデータ２４４ｄ及び振り分け識別データ２５６ａをそれぞれに対応する蓄積部４１４Ａ，４１４Ｂに格納している。これは、データエントリ業者が、用紙順に、レセプトデータ２４４ｄの入力・修正処理を行い易くするためである。
しかしながら、例えば、振り分け装置２４０が各レセプトデータ２４４ｄに対応して医療機関番号データ２４４ａｂ（図４（ａ）参照）を第２記憶媒体６０２に格納することにより、データエントリ用装置４１０は、医療機関番号データ２４４ａｂ毎に区分して、用紙固有データ５００Ａａ順に、レセプトデータ２４４ｄ及び振り分け識別データ２５６ａをそれぞれに対応する蓄積部４１４Ａ，４１４Ｂに格納することが可能となる。この場合、データエントリ業者は、医療機関毎に一括して、レセプトデータ２４４ｄの入力・修正処理を行うことができる。
【０１４５】
（データエントリ用装置の更新レセプトデータ生成時の動作）
次に、図１４、図２６、及び図２８を参照して、図７に示すＳ５０（「更新レセプトデータ生成」）の動作につき説明する。図１４は、データエントリ用装置の動作を示すフローチャートである。また、図２８は、データエントリ用装置の表示画面の一例を示す図である。
【０１４６】
図１４に示すように、データエントリ業者４００では、図１３に示す処理が終了すると、例えば、データエントリ業者４００の作業者が、外部記憶媒体データ読取メニュー画面ＳＣ４２（図２７参照）に表示された復帰キーを入力する。これにより、データエントリ用装置４１０は、図１４に示す動作を開始する。
【０１４７】
データエントリ用装置４１０は、まず、初期画面として、メインメニュー画面ＳＣ４１（図２６参照）を表示する（Ｓ８０５）。
【０１４８】
作業者は、データエントリ用装置４１０の入力部４１１（図６参照）を操作して、「データ入力」キーＳＣ４１ｂを入力する。すると、データエントリ用装置４１０は、図示せぬ検出手段によって、キーＳＣ４１ｂの入力を検出し（Ｓ８１０）、レセプト５００ａ毎に、各レセプト５００ａに対応したデータ入力作業画面ＳＣ４３（図２８参照）を表示する（Ｓ８１５）。作業者は、データエントリ用装置４１０の入力部４１１（図６参照）を操作して、データ入力作業画面ＳＣ４３に文字データを入力したり、データ入力作業画面ＳＣ４３に表示された文字データを修正したりすることによって、最終的な文字データをデータエントリ用装置４１０に入力することになる。
【０１４９】
このデータ入力作業画面ＳＣ４３には、「認識結果データ」表示欄ＳＣ４３ａや、「全体画像データ」表示欄ＳＣ４３ｂ、「部分画像データ」表示欄ＳＣ４３ｄ等が表示される。データ入力作業画面ＳＣ４３は、当初はデータが未表示な状態となっており、Ｓ８２０で、データ入力部４２５が、レセプトデータ蓄積部４１４Ａから各レセプト５００ａのレセプトデータ２４４ｄを読み取ることによって、表示される。なお、データエントリ用装置４１０は、図示せぬ割り込み画面を介して用紙を指定するデータ（例えば、用紙固有データ５００Ａａ）を入力することにより、任意の用紙のデータ入力作業画面ＳＣ４３を表示させることが可能な構成となっている。これにより、作業者は、データエントリ用装置４１０の入力部４１１を操作して、データエントリ用装置４１０に任意の用紙のデータ入力作業画面ＳＣ４３を表示させることができる。なお、ここでは、「用紙を指定するデータ」として、用紙固有データ５００Ａａが用いられているが、その他のデータ（例えば、医療機関番号データ２４４ａｂ（図４（ａ）参照）等）が用紙固有データ５００Ａａと併用又は単独で用いられるようにしてもよい。
【０１５０】
「認識結果データ」表示欄ＳＣ４３ａは、レセプト５００ａに記載された文字に対応する文字データの入力・修正処理を行うための欄である。作業者は、「認識結果データ」表示欄ＳＣ４３ａの各入力エリアＳＣ４３ｃに文字データを入力したり、入力されている文字データを修正したりすることによって、各レセプト５００ａの文字データを更新する。
【０１５１】
なお、「認識結果データ」表示欄ＳＣ４３ａの各入力エリアＳＣ４３ｃは、手書き認識結果データ２５３ａの文字データが表示された状態、又は、ストローク認識結果データ２５４ａの文字データが表示された状態、又は、文字データが未入力な状態のいずれかとなる。具体的には、各入力エリアＳＣ４３ｃは、第２記憶媒体６０２に格納された暗号化レセプトデータ２４４ｄａの中に手書き認識結果データ２５３ａが含まれている場合に、手書き認識結果データ２５３ａの文字データが表示され、また、第２記憶媒体６０２に格納された暗号化レセプトデータ２４４ｄａの中にストローク認識結果データ２５４ａが含まれている場合に、ストローク認識結果データ２５４ａの文字データが表示され、また、第２記憶媒体６０２に格納された暗号化レセプトデータ２４４ｄａの中に手書き認識結果データ２５３ａ及びストローク認識結果データ２５４ａが含まれていない場合に、文字データが未入力な状態となる。なお、手書き認識結果データ２５３ａやストローク認識結果データ２５４ａの中に、文字認識されていない文字や誤って認識された可能性の高い文字（すなわち、不読フラグが対応付けられた文字）がある場合に、これらの文字は、不読フラグに基づいて識別され、他の文字から区別された状態（例えば、他の文字と異なる色に着色された状態）で表示される。
【０１５２】
「全体画像データ」表示欄ＳＣ４３ｂは、レセプト５００ａの画像データ２３０ａに基づいて、レセプト５００ａの全体画像を表示するための欄である。
「部分画像データ」表示欄ＳＣ４３ｄは、文字データに対応して、Ｔｉｆｆ等の文字の部分画像を表示するための欄である。「部分画像データ」表示欄ＳＣ４３ｄは、入力エリア４３ｃの近傍に表示される。
【０１５３】
Ｓ８１５の後、データエントリ用装置４１０は、データ入力部４２５が、レセプトデータ蓄積部４１４Ａから各レセプト５００ａのレセプトデータ２４４ｄを読み取る（Ｓ８２０）。
【０１５４】
また、データエントリ用装置４１０は、振り分け処理部４２４が、振り分け識別データ蓄積部４１４Ｂから各レセプト５００ａの振り分け識別データ２５６ａを読み取る（Ｓ８２５）。そして、振り分け処理部４２４は、レセプト５００ａ毎に、振り分け識別データ２５６ａの値が「イメージエントリ方式」フラグの値か否かを判定する（Ｓ８３０）。
【０１５５】
Ｓ８３０の判定で、振り分け識別データ２５６ａの値が「イメージエントリ方式」フラグの値であると判定された場合（“Ｙｅｓ”の場合）に、振り分け処理部４２４は、処理をイメージエントリ処理部４３１（図６参照）に振り分けることを決定する。そして、振り分け処理部４２４は、処理指示４２４ａ（図６参照）を生成して、データ入力部４２５に出力し、イメージエントリ処理部４３１を起動させる（Ｓ８３５）。この処理指示４２４ａは、個々のレセプト５００ａを指定するための指定データ（例えば、用紙固有データ５００Ａａ）を含んでいる。後続の構成要素（ここでは、イメージエントリ処理部４３１、手書き認識修正部４３２、及びストローク認識修正部４３３）は、この指定データに基づいて、該当するレセプト５００ａに対して所定の処理を行う。
【０１５６】
Ｓ８３５の後、イメージエントリ処理部４３１は、処理指示４２４ａに応答して、イメージエントリ方式のデータ入力処理を実行する（Ｓ８４０）。具体的には、イメージエントリ処理部４３１は、処理指示４２４ａに含まれている指定データ（例えば、用紙固有データ５００Ａａ）によって指定されたレセプト５００ａ毎に、各レセプト５００ａのデータ入力作業画面ＳＣ４３（図２８参照）を表示部４１２に表示する。このとき、データ入力作業画面ＳＣ４３には、図２８に示すように、各レセプト５００ａの「全体画像データ」表示欄ＳＣ４３ｂ（図２８参照）と各入力エリアＳＣ４３ｃが未入力な状態となっている「認識結果データ」表示欄ＳＣ４３ａ（図２８参照）とが表示される。作業者は、レセプト５００ａ毎に、データ入力作業画面ＳＣ４３の「全体画像データ」表示欄ＳＣ４３ｂを見ながら、各入力エリアＳＣ４３ｃに文字データを入力する。イメージエントリ処理部４３１は、その文字データを図示せぬ格納部に一時的に格納させて受け付ける。これにより、各レセプト５００ａの最終的な文字データが、データエントリ用装置４１０に入力される。
【０１５７】
Ｓ８４０の後、イメージエントリ処理部４３１は、イメージエントリ方式で入力処理されたレセプト５００ａの最終的な文字データ（以下、「イメージエントリ文字データ４３１ａ（図６参照）」と称する）を、更新レセプトデータ４２５ａ（図６参照）として、レセプトデータ蓄積部４１４Ａに格納させる（Ｓ８４５）。これによりデータエントリ用装置４１０は、図１４に示す処理を終了する。
【０１５８】
一方、Ｓ８３０の判定で、振り分け識別データ２５６ａの値が「イメージエントリ方式」フラグの値でないと判定された場合（“Ｎｏ”の場合）に、振り分け処理部４２４は、振り分け識別データ２５６ａの値が「手書き識別不読修正方式」フラグの値であるか否かを判定する（Ｓ８５０）。
【０１５９】
Ｓ８５０の判定で、振り分け識別データ２５６ａの値が「手書き識別不読修正方式」フラグの値であると判定された場合（“Ｙｅｓ”の場合）に、振り分け処理部４２４は、データ入力作業画面ＳＣ４３の入力エリア近傍に、「部分画像データ」表示欄ＳＣ４３ｄ（ただし、文字データが未表示な状態となっている欄のみ）を表示させる（Ｓ８５５）。そして、振り分け処理部４２４は、処理を手書き認識修正部４３２（図６参照）に振り分けることを決定し、処理指示４２４ａ（図６参照）を生成して、データ入力部４２５に出力し、手書き認識修正部４３２を起動させる（Ｓ８６０）。
【０１６０】
手書き認識修正部４３２は、処理指示４２４ａに応答して、手書き認識不読修正方式のデータ入力処理を実行する（Ｓ８６５）。具体的には、手書き認識修正部４３２は、処理指示４２４ａに含まれている指定データ（例えば、用紙固有データ５００Ａａ）によって指定されたレセプト５００ａ毎に、各レセプト５００ａのデータ入力作業画面ＳＣ４３（図２８参照）を表示部４１２に表示する。このとき、データ入力作業画面ＳＣ４３には、図２８に示すように、各レセプト５００ａの「全体画像データ」表示欄ＳＣ４３ｂと、各入力エリアＳＣ４３ｃに該当する手書き認識の文字データが表示された「認識結果データ」表示欄ＳＣ４３ａと、文字データに対応する「部分画像データ」表示欄ＳＣ４３ｄとが表示される。作業者は、レセプト５００ａ毎に、データ入力作業画面ＳＣ４３の「認識結果データ」表示欄ＳＣ４３ａと「部分画像データ」表示欄ＳＣ４３ｄとを見比べながら、各入力エリアＳＣ４３ｃに表示された文字データを修正する。手書き認識修正部４３２は、その文字データを図示せぬ格納部に一時的に格納させて受け付ける。これにより、各レセプト５００ａの最終的な文字データが、データエントリ用装置４１０に入力される。
【０１６１】
Ｓ８６５の後、手書き認識修正部４３２は、手書き認識不読修正方式で修正処理されたレセプト５００ａの最終的な文字データ（以下、「手書き認識修正文字データ４３２ａ（図６参照）」と称する）を、更新レセプトデータ４２５ａ（図６参照）として、レセプトデータ蓄積部４１４Ａに格納させる（Ｓ８７０）。これによりデータエントリ用装置４１０は、図１４に示す処理を終了する。
【０１６２】
一方、Ｓ８５０の判定で、振り分け識別データ２５６ａの値が「手書き識別不読修正方式」フラグの値でないと判定された場合（“Ｎｏ”の場合）に、振り分け処理部４２４は、データ入力作業画面ＳＣ４３の入力エリア近傍に、ストロークデータ３１０ａａの筆跡用の表示欄を表示させる（Ｓ８７５）。そして、振り分け処理部４２４は、処理をストローク認識修正部４３３（図６参照）に振り分けることを決定し、処理指示４２４ａ（図６参照）を生成して、データ入力部４２５に出力し、ストローク認識修正部４３３を起動させる（Ｓ８８０）。
【０１６３】
ストローク認識修正部４３３は、処理指示４２４ａに応答して、ストローク認識不読修正方式のデータ入力処理を実行する（Ｓ８８５）。具体的には、ストローク認識修正部４３３は、処理指示４２４ａに含まれている指定データ（例えば、用紙固有データ５００Ａａ）によって指定されたレセプト５００ａ毎に、各レセプト５００ａのデータ入力作業画面ＳＣ４３（図２８参照）を表示部４１２に表示する。このとき、データ入力作業画面ＳＣ４３には、各レセプト５００ａの「全体画像データ」表示欄ＳＣ４３ｂ（図２８参照）と、各入力エリアＳＣ４３ｃに該当するストローク認識の文字データが表示された「認識結果データ」表示欄ＳＣ４３ａ（図２８参照）と、文字データに対応する文字の筆跡の表示欄（図示せず）とが表示される。なお、「文字の筆跡の表示欄」は、ストローク認識結果データ２５４ａに含まれているストロークデータ３１０ａａによって表される文字の筆跡の画像（好ましくは、動画像）を表示するための欄である。「文字の筆跡の表示欄」は、「部分画像データ」表示欄ＳＣ４３ｄ（図２８参照）と同様に、各入力エリアＳＣ４３ｃの近傍に表示される。作業者は、レセプト５００ａ毎に、データ入力作業画面ＳＣ４３の「認識結果データ」表示欄ＳＣ４３ａと文字の筆跡の表示欄（図示せず）とを見比べながら、各入力エリアＳＣ４３ｃに表示された文字データを修正する。ストローク認識修正部４３３は、その文字データを図示せぬ格納部に一時的に格納させて受け付ける。これにより、各レセプト５００ａの最終的な文字データが、データエントリ用装置４１０に入力される。
【０１６４】
Ｓ８８５の後、ストローク認識修正部４３３は、ストローク認識不読修正方式で修正処理されたレセプト５００ａの最終的な文字データ（以下、「ストローク認識修正文字データ４３３ａ（図６参照）」と称する）を、更新レセプトデータ４２５ａ（図６参照）として、レセプトデータ蓄積部４１４Ａに格納させる（Ｓ８９０）。これによりデータエントリ用装置４１０は、図１４に示す処理を終了する。
【０１６５】
（データエントリ用装置の更新レセプトデータの第３記憶媒体への格納時の動作）
次に、図１５、図２６、及び図２８を参照して、図７に示すＳ５５（「更新レセプトデータの第３記憶媒体への格納」）の動作につき説明する。図１５は、データエントリ用装置の動作を示すフローチャートである。また、図２９は、データエントリ用装置の表示画面の一例を示す図である。
【０１６６】
図１５に示すように、データエントリ業者４００では、図１４に示す処理が終了すると、例えば、データエントリ業者４００の作業者が、データ入力作業画面ＳＣ４３（図２８参照）に表示された復帰キー（ここでは、「修正完了」キー）を入力する。これにより、データエントリ用装置４１０は、図１５に示す動作を開始する。
【０１６７】
データエントリ用装置４１０は、まず、初期画面として、メインメニュー画面ＳＣ４１（図２６参照）を表示する（Ｓ９０５）。
【０１６８】
作業者は、データエントリ用装置４１０の入力部４１１（図６参照）を操作して、「外部記憶媒体データ出力」キーＳＣ４１ｃを入力する。すると、データエントリ用装置４１０は、図示せぬ検出手段によって、キーＳＣ４１ｃの入力を検出し（Ｓ９１０）、外部記憶媒体データ出力メニュー画面ＳＣ４４（図２９参照）を表示する（Ｓ９１５）。この外部記憶媒体データ出力メニュー画面ＳＣ４４には、「データ出力」キーＳＣ４４ａが表示されている。データ出力キーＳＣ４４ａは、データ（ここでは、暗号化更新レセプトデータ４２５ａａ）を外部記憶媒体（ここでは、第３記憶媒体６０３）に格納させるためのキーである。
【０１６９】
作業者は、データ出力キーＳＣ４４ａを入力する。すると、データエントリ用装置４１０は、キーＳＣ４４ａの入力を検出する（Ｓ９２０）。このとき、データエントリ用装置４１０は、データ読取部４２６（図６参照）が、レセプトデータ蓄積部４１４Ａ（図６参照）から更新レセプトデータ４２５ａを読み取り（Ｓ９２５）、暗号化処理部４２７に出力する。
【０１７０】
暗号化処理部４２７は、更新レセプトデータ４２５ａを暗号化して（Ｓ９３０）、暗号化更新レセプトデータ４２５ａａを生成し、データ出力部４２８に出力する。すると、データ出力部４２８は、暗号化更新レセプトデータ４２５ａａを外部記憶媒体（ここでは、第３記憶媒体６０３）に格納させる（Ｓ９３５）。
これにより、データエントリ用装置４１０は、図１５に示す処理を終了する。なお、データエントリ業者４００は、第３記憶媒体６０３を審査支払機関２００に送付する。このとき、データエントリ業者４００は、好ましくは、第２記憶媒体６０２も審査支払機関２００に送付するようにするとよい。
【０１７１】
（振り分け装置の第３記憶媒体からの更新レセプトデータ読取・レセプトデータ本登録時の動作）
次に、図１６、図２１、及び図３０を参照して、図７に示すＳ６０（「第３記憶媒体からの更新レセプトデータ読取」）からＳ６５（「レセプトデータ本登録」）までの動作につき説明する。図１６は、振り分け装置の動作を示すフローチャートである。また、図３０は、振り分け装置の表示画面の一例を示す図である。
【０１７２】
図１６に示すように、審査支払機関２００では、データエントリ業者４００から第３記憶媒体６０３が送付されると、審査支払機関２００の作業者が、振り分け装置２４０の電源を投入する。これにより、振り分け装置２４０は、図１６に示す動作を開始する。
【０１７３】
振り分け装置２４０は、まず、初期画面として、メインメニュー画面ＳＣ３１（図２１参照）を表示する（Ｓ１００５）。
【０１７４】
作業者は、振り分け装置２４０の入力部２４１（図３参照）を操作して、「外部記憶媒体データ読取（エントリ業者から）」キーＳＣ３１ｅ（図２１参照）を入力する。すると、振り分け装置２４０は、図示せぬ検出手段によって、キーＳＣ３１ｅの入力を検出し（Ｓ１０１０）、外部記憶媒体データ読取メニュー画面ＳＣ３６（図３０参照）を表示する（Ｓ１０１５）。この外部記憶媒体データ読取メニュー画面ＳＣ３６には、「データ読取」キーＳＣ３６ａが表示されている。データ読取キーＳＣ３６ａは、外部記憶媒体（ここでは、第３記憶媒体６０３）からのデータ（ここでは、暗号化更新レセプトデータ４２５ａａ）の読み取りを実行させるためのキーである。
【０１７５】
作業者は、データ読取キーＳＣ３６ａを入力する。すると、振り分け装置２４０は、キーＳＣ３６ａの入力を検出する（Ｓ１０２０）。このとき、振り分け装置２４０は、復号化処理部２５９が、図示せぬＩ／Ｏインタフェースを介して、第３記憶媒体６０３から暗号化更新レセプトデータ４２５ａａを読み取り（Ｓ１０２５）、暗号化更新レセプトデータ４２５ａａを復号化して（Ｓ１０３０）、更新レセプトデータ４２５ａを取得し、更新レセプトデータ４２５ａをデータ格納処理部２６０（図３参照）に出力する。データ格納処理部２６０は、更新レセプトデータ４２５ａに含まれている文字データを最終的なデータとしてレセプトデータ蓄積部２４４Ｄに本登録（格納）させる（Ｓ１０３５）。
これにより、振り分け装置２４０は、図１６に示す処理を終了する。
【０１７６】
以上の通り、本実施形態に係る文字データ処理システム１００によれば、振り分け装置２４０及びデータエントリ用装置４１０に、手書き認識機能（すなわち、画素の並びに基づいて文字認識する機能）に加え、ストローク認識機能（すなわち、文字の筆跡に基づいて文字認識する機能）が付加されており、さらに、用紙毎に、これらの文字認識機能の中で、好適な側の文字認識機能による文字データの入力・修正処理を自動的に選択・実行する構成となっている。そのため、文字データを短時間でかつ正確に（少なくとも、従来の装置よりも高精度に）取得することができる。しかも、本実施形態に係る文字データ処理システム１００によれば、文字を記載した機関（個人の場合を含む）に応じて、好適な文字データの入力・修正処理を自動的に選択・実行することができるので、効率的に、文字データを短時間でかつ正確に取得することができる。
【０１７７】
また、振り分け装置２４０によれば、データエントリ用装置４１０が文字データを短時間でかつ正確に取得できるように、文字を記載した機関（個人の場合を含む）に応じて、用紙毎に、振り分け識別データ２５６ａを生成することにより、データエントリ用装置４１０が実行すべき処理を、「イメージエントリ方式」、「ストローク認識不読修正方式」、及び「手書き認識不読修正方式」の入力・修正処理の中から好適に振り分けることができる。
【０１７８】
また、データエントリ用装置４１０によれば、振り分け装置２４０によって生成された振り分け識別データ２５６ａに基づいて、「イメージエントリ方式」、「ストローク認識不読修正方式」、及び「手書き認識不読修正方式」の中のいずれかの入力・修正処理を実行することにより、文字データを短時間でかつ正確に（少なくとも、従来の装置よりも高精度に）取得することができる。
【０１７９】
本発明は、前記した実施形態に限定されることなく、本発明の要旨を逸脱しない範囲で種々の変更や変形を行うことができる。
【０１８０】
例えば、本実施形態では、文字データ処理システム１００は、保険診療の分野で用いられる場合を例にして説明した。しかしながら、文字データ処理システム１００は、保険診療以外の分野でも用いることができる。なお、保険診療以外の分野で用いる場合に、各用語（例えば、「審査支払機関」や「医療機関」、「レセプト」等）は、用いる分野に合わせた用語に読み替えることになる。
【０１８１】
また、例えば、本実施形態では、文字データに基づいて診療報酬の対価を計算するための構成要素（図示せず）が振り分け装置２４０に設けられているものとして説明した。しかしながら、この構成要素は、他のコンピュータに設けられることにより、振り分け装置２４０から排除することができる。
【０１８２】
また、例えば、振り分け装置２４０は、認識精度データ２４４ｂが認識精度データ蓄積部２４４Ｂに格納されていない医療機関３００のレセプト５００ａについては、手書き認識及びストローク認識の双方又は予め定められた方式の認識を行うようにすることができる。
【０１８３】
また、例えば、振り分け装置２４０は、ネットワークを介して、データエントリ用装置４１０と接続して、データエントリ用装置４１０から最新の認識精度データ２４４ｂを取得するように構成してもよい。これにより、振り分け装置２４０は、認識精度データ蓄積部２４４Ｂに格納された認識精度データ２４４ｂを最新のデータに随時更新することができる。
【０１８４】
また、例えば、振り分け装置２４０は、ストローク認識処理部２５４によるストローク認識の精度が一定水準以上である場合に、レセプト５００ａの画像データ２３０ａを取得しないように構成してもよい。これにより、振り分け装置２４０は、レセプト５００ａの画像データ２３０ａを取得するための時間及びその画像データ２３０ａを第２記憶媒体６０２に格納させるための時間を短縮することができる。
【０１８５】
また、例えば、データエントリ用装置４１０（図６参照）は、データ入力部４２５の中の振り分け処理部４２４によって選択された修正部又は処理部（すなわち、イメージエントリ処理部４３１、手書き認識修正部４３２、及びストローク認識修正部４３３）を、他の処理部に任意に変更できるように構成してもよい。
【０１８６】
また、例えば、図１０Ｂに示す「画像取得処理」、「ストローク認識処理」、及び「手書き認識処理」を実行させるための処理の順番、並びに、図１４に示す「イメージエントリ方式のデータ入力」、「手書き認識不読修正方式のデータ入力」、及び「ストローク認識不読修正方式のデータ入力」を実行させるための処理の順番は、運用に応じて、変更することができる。
【０１８７】
また、例えば、本実施形態では、データは、外部記憶媒体６０１，６０２，６０３に格納されて、各機関の間で受け渡しされるものとして説明した。しかしながら、データは、ネットワークを介して、受け渡しされるようにしてもよい。
【符号の説明】
【０１８８】
１００    文字データ処理システム
２００    審査支払機関
２１０    用紙印刷指示装置
２２０    プリンタ
２３０    スキャナ
２４０    振り分け装置
２４１    入力部
２４２    表示部
２４３    制御部
２４４    記憶部
２４４Ａ    用紙対応医療機関テーブルデータ蓄積部（テーブルデータ蓄積部）
２４４ａ    用紙対応医療機関テーブルデータ
２４４Ｂ    認識精度データ蓄積部
２４４ｂ    認識精度データ
２４４Ｃ    電子ペンデータ蓄積部（ストロークデータ蓄積部）
２４４Ｄ    レセプトデータ蓄積部（文字・画像データ蓄積部）
２４４ｄ    レセプトデータ
２４４ｄａ    暗号化レセプトデータ
２５１    データ取得部
２５２    振り分け指示部
２５２ａ    処理指示
２５３    手書き認識処理部
２５４    ストローク認識処理部
２５５    画像取得処理部
２５６    振り分け識別データ生成部
２５６ａ    振り分け識別データ
２５６ａａ    暗号化振り分け識別データ
２５７    暗号化処理部
２５８    データ出力部
２５９    復号化処理部
２６０    データ格納処理部
３００    医療機関
３１０    電子ペン
３１０ａ    電子ペンデータ（用紙固有データ５００Ａａ及びストロークデータ３１０ａａ含有）
３１０ａａ    ストロークデータ
３２０    電子ペンデータ受信装置
４００    データエントリ業者
４１０    データエントリ用装置
４１１    入力部
４１２    表示部
４１３    制御部
４１４    記憶部
４１４Ａ    レセプトデータ蓄積部（更新用データ蓄積部）
４１４Ｂ    振り分け識別データ蓄積部
４２１    データ取得部
４２２    復号化処理部
４２３    データ格納処理部
４２４    振り分け指示部
４２４ａ    処理指示
４２５    データ入力部
４２５ａ    更新レセプトデータ（イメージエントリ文字データ４３１ａ、手書き認識修正文字データ４３２ａ及びストローク認識修正文字データ４３３ａ含有）
４２５ａａ    暗号化更新レセプトデータ
４２６    データ読取部
４２７    暗号化処理部
４２８    データ出力部
４３１    イメージエントリ処理部
イメージエントリ文字データ４３１ａ
４３２    手書き認識修正部
手書き認識修正文字データ４３２ａ
４３３    ストローク認識修正部
ストローク認識修正文字データ４３３ａ
５００    電子ペン専用紙
５００ａ    レセプト（記入済み電子ペン専用紙）
５００Ａａ    用紙固有データ
６０１    第１の外部記憶媒体（第１記憶媒体）
６０２    第２の外部記憶媒体（第２記憶媒体）
６０３    第３の外部記憶媒体（第３記憶媒体）
【図１】
2010237985.tif 000003
【図２】
2010237985.tif 000004
【図３】
2010237985.tif 000005
【図４】
2010237985.tif 000006
【図５】
2010237985.tif 000007
【図６】
2010237985.tif 000008
【図７】
2010237985.tif 000009
【図８】
2010237985.tif 000010
【図９】
2010237985.tif 000011
【図１０Ａ】
2010237985.tif 000012
【図１０Ｂ】
2010237985.tif 000013
【図１１】
2010237985.tif 000014
【図１２】
2010237985.tif 000015
【図１３】
2010237985.tif 000016
【図１４】
2010237985.tif 000017
【図１５】
2010237985.tif 000018
【図１６】
2010237985.tif 000019
【図１７】
2010237985.tif 000020
【図１８】
2010237985.tif 000021
【図１９】
2010237985.tif 000022
【図２０】
2010237985.tif 000023
【図２１】
2010237985.tif 000024
【図２２】
2010237985.tif 000025
【図２３】
2010237985.tif 000026
【図２４】
2010237985.tif 000027
【図２５】
2010237985.tif 000028
【図２６】
2010237985.tif 000029
【図２７】
2010237985.tif 000030
【図２８】
2010237985.tif 000031
【図２９】
2010237985.tif 000032
【図３０】
2010237985.tif 000033